(57)【特許請求の範囲】
【請求項１】
アルコキシル化エモリエントエステル及び非イオン性界面活性剤を含む有機媒体中に分散されたカルボン酸ポリマーの粒子を含む分散体であって、
前記カルボン酸ポリマーが、架橋されていてもよいアクリル酸のホモポリマーまたは架橋されていてもよいアクリル酸及びアルキルアクリレートを含むコポリマーであり、
前記カルボン酸ポリマーの粒子が、前記分散体の総質量に基づいて１０質量％より高い濃度で含まれる、
分散体。
【請求項２】
２０〜６０質量％のカルボン酸ポリマーを含む請求項１に記載の分散体。
【請求項３】
２５〜６５質量％の有機媒体を含む請求項１または２に記載の分散体。
【請求項４】
該有機媒体が、１２〜２５ｍＮ／ｍの水に対する界面張力を有する少なくとも１種の極性材料を含む、請求項１〜３のいずれか一項に記載の分散体。
【請求項５】
２〜２５質量％の非イオン性界面活性剤を含む、請求項１〜４のいずれか一項に記載の分散体。
【請求項６】
５〜２５質量％のアルコキシル化エモリエントエステルを含む、請求項１〜５のいずれか一項に記載の分散体。
【請求項７】
該アルコキシル化エモリエントエステルがプロポキシル化されたエステルである、請求項１〜６のいずれか一項に記載の分散体。
【請求項８】
該アルコキシル化エモリエントエステルが１７〜２２のＨａｎｓｅｎ及びＢｅｅｒｂｏｗｅｒの溶解度パラメータを有する、請求項１〜７のいずれか一項に記載の分散体。
【請求項９】
（ｉ）脂肪族アルコール、グリコール、グリセリドオイル、植物油、エステルオイル、脂肪族アルコールアルコキシレート、アルキルカーボネート、ミネラルオイル、シリコーンオイル、若しくはそれらの混合物、（ii）１０以下のＨＬＢ値を有する非イオン性界面活性剤、並びに／または（iii）１８．５〜２１のＨａｎｓｅｎ及びＢｅｅｒｂｏｗｅｒの溶解度パラメータを有するアルコキシル化エモリエントエステル、の有機媒体液相を含む請求項１〜８のいずれか一項に記載の分散体。
【請求項１０】
該有機媒体がグリセリドオイル、該アルコキシル化エモリエントエステルがジ−ＰＰＧ−３−ミリスチルエーテルアジペート及び／若しくはトリ−ＰＰＧ−３ミリスチルエーテルシトレート、並びに／または該非イオン性界面活性剤がソルビタンエステルである、請求項１〜９のいずれか一項に記載の分散体。
【請求項１１】
カルボン酸ポリマーの粒子、有機媒体、並びにアルコキシル化エモリエントエステル及び非イオン性界面活性剤を混ぜ合わせることを含む分散体の生成方法であって、
前記カルボン酸ポリマーが、架橋されていてもよいアクリル酸のホモポリマーまたは架橋されていてもよいアクリル酸及びアルキルアクリレートを含むコポリマーであり、
前記カルボン酸ポリマーの粒子が、前記分散体の総質量に基づいて１０質量％より高い濃度で含まれる、
方法。
【請求項１２】
（ｉ）所望による水、（ii）請求項１〜１０のいずれか一項に記載の分散体であって、前記アルコキシル化エモリエントエステルが該有機媒体に混和性を有する、分散体、及び（iii）水混和性アルコキシル化エモリエントエステル、を含むゲル状組成物。
【請求項１３】
５０〜８０質量％の、水混和性アルコキシル化エモリエントエステルを含む、請求項１２に記載のゲル状組成物。
【請求項１４】
１〜４０質量％の水を含む、請求項１２及び１３のいずれかに記載のゲル状組成物。
【請求項１５】
０．９〜８質量％のカルボン酸ポリマーを含む、請求項１２〜１４のいずれか一項に記載のゲル状組成物。
【請求項１６】
（ｉ）２０〜３５質量％の水、（ii）１〜１０質量％の請求項１〜９のいずれか一項に記載の分散体、並びに（iii）６０〜７５質量％の２１〜２７のＨａｎｓｅｎ及びＢｅｅｒｂｏｗｅｒの溶解度パラメータを有する水混和性アルコキシル化エモリエントエステル、を含む請求項１２〜１５のいずれか一項に記載のゲル状組成物。
【請求項１７】
（ｉ）２〜１５質量％の水、（ii）１０〜２５質量％の請求項１〜９のいずれか一項に記載の分散体、（iii）６０〜７５質量％の２１〜２７のＨａｎｓｅｎ及びＢｅｅｒｂｏｗｅｒの溶解度パラメータを有する水混和性アルコキシル化エモリエントエステル、並びに（iv）５〜１３質量％の非イオン性界面活性剤、を含む請求項１２〜１５のいずれか一項に記載のゲル状組成物。
【請求項１８】
所望による水、請求項１〜１０のいずれか一項に記載の分散体であって、前記アルコキシル化エモリエントエステルが該有機媒体に混和性を有する、分散体、及び水混和性アルコキシル化エモリエントエステル、を混ぜ合わせることを含むゲル状組成物の生成方法。
【請求項１９】
（ｉ）水、（ii）オイル、（iii）非イオン性界面活性剤、（iv）水混和性アルコキシル化エモリエントエステル、及び（ｖ）請求項１〜１０のいずれか一項に記載の分散体であって、前記アルコキシル化エモリエントエステルが該有機媒体に混和性を有する、分散体、を含む乳化系。
【請求項２０】
２０〜４０質量％の水を含む、請求項１９に記載の乳化系。
【請求項２１】
２５〜５０質量％のオイルを含む、請求項１９及び２０のいずれかに記載の乳化系。
【請求項２２】
８〜２８質量％の非イオン性界面活性剤を含む、請求項１９〜２１のいずれか一項に記載の乳化系。
【請求項２３】
４〜２０質量％の水混和性アルコキシル化エモリエントエステルを含む、請求項１９〜２２のいずれか一項に記載の乳化系。
【請求項２４】
４〜２０質量％のカルボン酸ポリマーを含む、請求項１９〜２３のいずれか一項に記載の乳化系。
【請求項２５】
（ｉ）２５〜３５質量％の水、（ii）３０〜４５質量％のオイル、（iii）１２〜２６質量％の非イオン性界面活性剤、（iv）７〜１５質量％の、２１〜２７のＨａｎｓｅｎ及びＢｅｅｒｂｏｗｅｒの溶解度パラメータを有する水混和性アルコキシル化エモリエントエステル、並びに（ｖ）２〜５質量％の請求項１〜９のいずれか一項に記載の分散体、を含む請求項１９〜２４のいずれか一項に記載の乳化系。
【請求項２６】
（ａ）アルコキシル化エモリエントエステル及び非イオン性界面活性剤を含む有機媒体中に分散されたカルボン酸ポリマーの粒子を含む分散体であって、前記カルボン酸ポリマーの粒子が、前記分散体の総質量に基づいて１０質量％より高い濃度で含まれる、分散体；並びに／または
（ｂ）（ｉ）所望による水、（ii）前記分散体であって、前記アルコキシル化エモリエントエステルが該有機媒体に混和性を有する、分散体、及び（iii）水混和性アルコキシル化エモリエントエステル、を含むゲル状組成物；並びに／または
（ｃ）（ｉ）水、（ii）オイル、（iii）非イオン性界面活性剤、（iv）水混和性アルコキシル化エモリエントエステル、及び（ｖ）前記分散体であって、前記アルコキシル化エモリエントエステルが該有機媒体に混和性を有する、分散体、を含む乳化系、
から生成される乳剤であって、
（ａ）、（ｂ）、及び（ｃ）の前記カルボン酸ポリマーが、架橋されていてもよいアクリル酸のホモポリマーまたは架橋されていてもよいアクリル酸及びアルキルアクリレートを含むコポリマーである、乳剤。
【請求項２７】
（ａ）アルコキシル化エモリエントエステル及び非イオン性界面活性剤を含む有機媒体中に分散されたカルボン酸ポリマーの粒子を含む分散体であって、前記カルボン酸ポリマーの粒子が、前記分散体の総質量に基づいて１０質量％より高い濃度で含まれる、分散体；並びに／または
（ｂ）（ｉ）所望による水、（ii）前記分散体であって、前記アルコキシル化エモリエントエステルが該有機媒体に混和性を有する、分散体、及び（iii）水混和性アルコキシル化エモリエントエステル、を含むゲル状組成物；並びに／または
（ｃ）（ｉ）水、（ii）オイル、（iii）非イオン性界面活性剤、（iv）水混和性アルコキシル化エモリエントエステル、及び（ｖ）前記分散体であって、前記アルコキシル化エモリエントエステルが該有機媒体に混和性を有する、分散体、を含む乳化系、
を使用する方法であって、
（ａ）、（ｂ）、及び（ｃ）の前記カルボン酸ポリマーが、架橋されていてもよいアクリル酸のホモポリマーまたは架橋されていてもよいアクリル酸及びアルキルアクリレートを含むコポリマーであり、
乳剤の形成の際に、該水及び／またはオイル相に微粒子粉末形態の該カルボン酸ポリマーを直接添加することによって得られる同等の乳剤と比較して、低減された粒状構造、改良された粘度、改良された安定性、よりロバストなゲル生成、低粘着性を含む改良された皮膚感触、及び／または「魚眼」の低減、のうち少なくとも１つを有する乳剤を生成する方法。
【発明の詳細な説明】
【技術分野】
【０００１】
本発明は、カルボン酸ポリマーを含む分散体、ゲル状組成物及び乳化系の生成に分散体を使用すること、並びに、特に、乳剤の生成に分散体、ゲル、及び乳化系を使用することに関する。
【背景技術】
【０００２】
水中油型乳剤及び油中水型乳剤はパーソナルケア及び化粧品産業で広く使用され、ミルク、ローション、若しくはクリームを直接塗布、またはウェットワイプや他の同様の塗布媒体による塗布によって皮膚及び髪に成分を与える。
【０００３】
クリーム及びミルクのようなパーソナルケアの乳剤製品は組み合わせて複数の特性を有するのが望ましい。例えば製造、配合、貯蔵、及び使用における安定性；最終用途に適した粘度；並びに好ましくは望ましい身体及び良好な皮膚の感触である。身体及び皮膚の感触は、通常、主観的に判断され、そして良好な身体及び／または皮膚の感触は一般に非ニュートン性のシェアシンニング（ｓｈｅａｒ  ｔｈｉｎｎｉｎｇ）粘度特性と関連するが、シェアシンニング特性は良好な身体または皮膚の感触を保証するものではない。
【０００４】
乳剤はまた、例えば爆発物のような産業用、並びに例えば靴磨きクリームや家具用艶出し剤などの艶出し剤、例えば自動車ワックス及びタイヤ光沢剤などの自動車（または他の乗り物）のワックス及び艶出し剤のような家庭用、といった他の用途でより幅広い利用がみられる。
【０００５】
増粘剤は乳化安定剤として用いられている。そのような増粘剤が用いられる場合の安定化のメカニズムは、増粘剤が十分に乳剤の低ずり粘度を増加することによって系のレオロジーを調整して、恐らく、エマルジョン液滴の移動を抑制することによって、液滴の合体に対する障壁を提供すること、と考えられる。
【０００６】
増粘剤の１つの特定の種類は、例えば、微粒子粉末形態で乳化系内に均質に分散される必要があるポリアクリル酸カルボマー種のような高分子量の親水性カルボン酸ポリマーである。第１に、乳剤内においてポリマー粒子の実質的に均質な分散を得ること；そして第２に乳剤の安定性を維持することが必要である。効果的に機能させるためには、ポリマー粒子を完全に濡らしてポリマー鎖のもつれを解きそして乳剤の水相内に分散させまたは溶解させることができるようにする必要がある。これらのポリマーは、オイルさらには乳剤の水相に加えられた場合に凝集する傾向がある。凝集塊の表面は溶媒和して、ポリマー粒子の内部が完全に濡れることを妨げる強固な外部層を生成する。これは過剰な混合及び湿潤時間、粒状構造、減少した粘度及び安定性、よりロバストでないゲル生成、粘着性を含む劣化した皮膚感触、並びに魚眼に類似したゼリー状外観を伴う部分的に濡れた凝集粒子をもたらし得る。
【発明の概要】
【発明が解決しようとする課題】
【０００７】
したがって、最終用途の乳剤または製剤への改良された導入を可能とする系に含まれる、これらの高分子量の親水性ポリマーの必要性がある。
【課題を解決するための手段】
【０００８】
我々は、このたび驚いたことに、前述の問題の少なくとも１つを克服または著しく低減する分散体、ゲル状組成物、及び乳化系を発見した。
【０００９】
したがって、本発明はエモリエントエステル及び／または非イオン性界面活性剤を含む有機媒体中に分散されたカルボン酸ポリマーの粒子を含む分散体を提供する。
【００１０】
本発明はまた、カルボン酸ポリマーの粒子、有機媒体、並びにエモリエントエステル及び／または非イオン性界面活性剤を混ぜ合わせることを含む分散体の生成方法を提供する。
【００１１】
本発明はさらに、（ｉ）所望による水、（ii）有機媒体、（iii）水混和性エモリエントエステル及び／または８以上のＨＬＢ値を有する非イオン性界面活性剤、（iv）有機媒体に混和性を有するエモリエントエステル、及び／または非イオン性界面活性剤、並びに（ｖ）カルボン酸ポリマー、を含むゲル状組成物を提供する。
【００１２】
本発明はさらに、カルボン酸ポリマーの粒子、所望による水、有機媒体、水混和性エモリエントエステル及び／または８以上のＨＬＢ値を有する非イオン性界面活性剤、並びに有機媒体に混和性を有するエモリエントエステル、及び／または非イオン性界面活性剤、を混ぜ合わせることを含むゲルの生成方法を提供する。
【００１３】
本発明はさらに、（ｉ）水、（ii）オイル、（iii）非イオン性界面活性剤、（iv）所望による水混和性エモリエントエステル、及び（ｖ）カルボン酸ポリマー、を含む乳化系を提供する。
【００１４】
本発明はさらに、
（ａ）エモリエントエステル及び／若しくは非イオン性界面活性剤を含む有機媒体中に分散されたカルボン酸ポリマーの粒子を含む分散体；並びに／または
（ｂ）（ｉ）所望による水、（ii）有機媒体、（iii）水混和性エモリエントエステル及び／若しくは８以上のＨＬＢ値を有する非イオン性界面活性剤、（iv）有機媒体に混和性を有するエモリエントエステル、及び／若しくは非イオン性界面活性剤、並びに（ｖ）カルボン酸ポリマー、を含むゲル状組成物；並びに／または
（ｃ）（ｉ）水、（ii）オイル、（iii）非イオン性界面活性剤、（iv）所望による水混和性エモリエントエステル、及び（ｖ）カルボン酸ポリマー、を含む乳化系、
から生成される乳剤を提供する。
【００１５】
本発明はさらに、
（ａ）エモリエントエステル及び／若しくは非イオン性界面活性剤を含む有機媒体中に分散されたカルボン酸ポリマーの粒子を含む分散体；並びに／または
（ｂ）（ｉ）所望による水、（ii）有機媒体、（iii）水混和性エモリエントエステル及び／若しくは８以上のＨＬＢ値を有する非イオン性界面活性剤、（iv）有機媒体に混和性を有するエモリエントエステル、及び／若しくは非イオン性界面活性剤、並びに（ｖ）カルボン酸ポリマー、を含むゲル状組成物；並びに／または
（ｃ）（ｉ）水、（ii）オイル、（iii）非イオン性界面活性剤、（iv）所望による水混和性エモリエントエステル、及び（ｖ）カルボン酸ポリマー、を含む乳化系、
を使用する方法であって、
乳剤の生成の際に水及び／またはオイル相に微粒子粉末形態のカルボン酸ポリマーを直接添加することによって得られる同等の乳剤と比較して、低減された粒状構造、改良された粘度、改良された安定性、よりロバストなゲル生成、低粘着性を含む改良された皮膚感触、及び／または「魚眼」の低減、のうち少なくとも１つを有する乳剤を生成する方法を提供する。
【００１６】
カルボン酸ポリマーは、任意の好適な液体有機媒体の連続相中に分散体に生成されることができる。分散とは、真の分散体、すなわちポリマー粒子が凝集に対して安定である場合を意味する。ポリマーは実質的に均質に分散されて、放置時に凝集または沈降しにくいが、しかしながらいくらかの沈降が起こった場合、単純な攪拌によって粒子を容易に再分散させることができる。
【００１７】
本発明による分散体は、本明細書の記載のように測定されて、５℃、及び／または室温（２３℃）、及び／または４３℃において、好ましくは１ヶ月より長く、さらに好ましくは２ヶ月より長く、特に３ヶ月より長く、及び特に４ヶ月より長く、好適には安定である。さらにより高い温度における安定性もまた重要であることができ、それゆえに本発明による分散体は、本明細書の記載のように測定されて、５０℃において、好適には１週間より長く、好ましくは２週間より長く、さらに好ましくは３週間より長く、特に１ヶ月より長く、及び特に２ヶ月より長く、好ましくは安定である。
【００１８】
安定な分散体は好ましくは２０〜６０質量％、さらに好ましくは３０〜５０質量％の範囲のカルボン酸ポリマー、及び４０〜８０質量％、さらに好ましくは５０〜７０質量％の液相を含み、前記カルボン酸ポリマーは、エモリエントエステル及び／または非イオン性界面活性剤を含む有機媒体を含む前記液相中に実質的に均質に分散されている。
【００１９】
好ましい実施態様では、本発明による分散体は実質的に無水である。本明細書で用いる「無水」なる用語は、分散体の質量に基づいて、１０質量％未満、好ましくは５質量％未満の水を含む分散体を意味する。さらに好ましくは、分散体は実質的に水を含まず、すなわち２質量％未満、好ましくは１質量％未満の水を含む。しかしながら、分散体の成分が、分散体中に存在するだろう少量の残留水（水分）を含んでもよいことは明らかである。
【００２０】
本発明の分散体に用いられるカルボン酸ポリマーは、好ましくは高分子量の合成ポリカルボキシまたはポリカルボン酸ポリマー、特に架橋されていてもよいアクリル酸のホモポリマー並びに架橋されていてもよいアクリル酸及びアルキルアルキレートを含む共重合体である。
【００２１】
カルボン酸ポリマーは親水性ポリマーであり好適には５００より大きい、好ましくは１，０００より大きい、さらに好ましくは１０，０００より大きい、特に４０，０００〜３，０００，０００の範囲、及び特に７５，０００〜２，５００，０００の分子量を有する。これらのポリマーの分子量は、特に架橋している場合、測定することが難しいことあるが、固有粘度によって測定してもよい。必要ならば、理論的な固有粘度の測定を用いることができる。
【００２２】
カルボン酸ポリマーは概して、緊密に渦を巻いた（ｔｉｇｈｔｌｙ  ｃｏｉｌｅｄ）分子の形で低水分量（例えば５質量％未満）を有する微粒の白色粉末の形態で供給される。ポリマーは概して分散されることが可能であるが、水または水性媒体に溶解しない傾向がある。しかしながら適切に濡れた場合はポリマーの分子はほどける（ｕｎｃｏｉｌ）だろう。使用に際して、好適な塩基を用いて中和することによって酸を塩に変換することが一般的である。中和の機能はポリマー鎖に沿った正電荷を作り出し、電荷反発及びポリマーの膨張を引き起こす。膨張は、膨張した分子の絡み合いによるゲル構造、及び水相の「構造化」を作り出し、高効率の増粘、安定化、及び懸濁特性をもたらす。
【００２３】
好ましいカルボン酸ポリマーは３つの異なったカテゴリーに分類されることができ、ＩＮＣＩ名称及びＮｏｖｅｏｎの材料の商標名によっておおよそ決めることができる。好適なポリマーは、カルボマーまたはアクリレーツ／Ｃ１０−３０アルキルアクリレートクロスポリマーのＩＮＣＩ名称が付けられた任意の材料から選択することができる。例として、Ａｃｒｉｔａｍｅｒ，Ｃａｒｂｏｐｏｌ、Ｃａｒｂｏｐｏｌ  ＥＴＤ、Ｃａｒｂｏｐｏｌ  Ｕｌｔｒｅｚ、Ｐｅｍｕｌｅｎ、Ａｑｕａｐｅｃ、Ｊｕｎｌｏｎ、Ｐｏｌｙｇｅｌ、Ｓｙｎｔｈａｌｅｎ、及びＴｅｇｏ  Ｃａｒｂｏｍｅｒの商標名で販売されている材料が挙げられる。
【００２４】
第１の分類はＩＮＣＩ名称のカルボマーを有し、そして幅広い様々な会社から各種の商標名で市販されていて、Ｎｏｖｅｏｎ製のＣａｒｂｏｐｏｌ系が含まれる。カルボマーは、好ましくは、多価アルコールのポリアルケニルポリエーテルから選択される３〜５個の炭素原子及び５％未満の好適な架橋剤を含む、不飽和カルボン酸のポリマーであり、好ましくは、アセトン若しくは低級アルキルアセテート、またはそれらの混合物から選択される好適な有機溶媒中で合成される。すなわち、カルボマーはペンタエリトリトール、スクロース、またはプロピレンのアリルエーテルで架橋したアクリル酸のホモポリマーである。１つの特に好ましい材料はＯｐｔａｓｅｎｓｅ（商標）Ｇ４０  Ｃａｒｂｏｍｅｒ（Ｃｒｏｄａ製のポリアクリル酸）である。
【００２５】
第２の分類はアクリレーツ／Ｃ１０−３０アルキルアクリレートクロスポリマーのＩＮＣＩ名称を有する。これらの材料は、複数の会社から様々な商標名で市販されていて、Ｎｏｖｅｏｎ製のＣａｒｂｏｐｏｌ  ＥＴＤ及びＵｌｔｒｅｚが含まれる。アクリレーツ／Ｃ１０−３０アルキルアクリレートクロスポリマーは、スクロース若しくはペンタエリトリトールのアリルエーテルで架橋した、Ｃ１０−３０アルキルアクリレートとアクリル酸、メタクリル酸、またはそれらの単純エステルの１以上のモノマーとの共重合体である。「１０−３０」の意味は、１０〜３０個の炭素原子を意味する。これらのポリマーは好ましくは、少なくとも８５％の３〜５個の炭素原子の不飽和カルボキシルモノマー、さらに好ましくはカルボン酸、並びに好適なケトン、エステル、エーテル、及びアルコール、またはそれらの混合物から選択される有機溶媒中で合成される最大１５％のコモノマー、さらに好ましくは酢酸エチル及びシクロヘキサンの混合物を含む。これらのポリマーの機能及び使用の一態様は、上記のカルボマーで記載したもの、すなわち分子鎖のもつれと同様である。しかしながら、ポリマー鎖に沿った疎水性部分の存在が、疎水基をそれら自身及び他の疎水性粒子、種、及びオイルに関連させることを可能として、さらなる安定性及び配合柔軟性をもたらす。
【００２６】
第３の分類は、ＩＮＣＩ名称のアクリレーツ／Ｃ１０−３０アルキルアクリレートクロスポリマーも支持する様々なポリマーを対象とするが、第１の乳化剤として機能しようと第２の乳化剤として機能しようと、高電解質水溶液系及び乳化において増加された利点を提供する。これらの材料は他社からも供給されるが、これらの材料の最も有名な供給業者はＰｅｍｕｌｅｎの商標名のＮｏｖｅｏｎである。これらの材料は不飽和カルボン酸の架橋された共重合体、疎水性モノマー、疎水性の連鎖移動剤、及び架橋剤である。増粘のメカニズムは、疎水性部分の割合が高いことを除いて上記の第２の分類に非常に類似し、それゆえに疎水基の存在下でさらなる安定性、及びさらなる配合柔軟性を可能とする。
【００２７】
本発明の特に驚くべき特徴は、分散体の総質量に基づいて、好適には５質量％より高い、好ましくは１０質量％より高い、さらに好ましくは２０〜６０質量％の範囲、特に２５〜５０質量％、及び特に３０〜４０質量％の濃度でカルボン酸ポリマーを含んで、分散体を作ることができることである。概して、本発明による分散体は約３０質量％または４０質量％のカルボン酸ポリマーを含む。
【００２８】
有機媒体の連続相としては化粧品として受容可能な材料が好ましく、例えば、Ｃｏｓｍｅｔｉｃｓ  Ｔｏｉｌｅｔｒｉｅｓ  ａｎｄ  Ｆｒａｇｒａｎｃｅ  Ａｓｓｏｃｉａｔｉｏｎによって溶媒として登録されるもののようなパーソナルケアまたは化粧品に広く用いられる種類のオイルである。有機媒体は好ましくは、主成分または基質として、例えば脂肪族アルコール、グリコール、グリセリドオイル、植物油、エステルオイル、アルコキシル化脂肪族アルコール、アルキルカーボネート、ミネラルオイル、及びシリコーンオイル、及びそれらの組み合わせからなる群から選択されるもののような室温で液体である１以上の油状物質を含むか、本質的にそれらの１以上の油状物質からなるか、あるいはそれらの１以上の油状物質からなる。好適なシリコーンオイルまたはシロキサン溶液は、例えばシクロメチコンとして知られるジメチルシロキサンの環状五量体のような環状オリゴマーのジアルキルシロキサンを含む。他のシロキサン溶液には、好適な流動性を有するジメチルシロキサンの直鎖状オリゴマーまたはポリマー、及びフェニルトリス（トリメチルシロキシ）シラン（フェニルトリメチコンとしても知られる）が含まれる。
【００２９】
好適な有機媒体基質の特定の例にはアボカド油、Ｃ１２−Ｃ１５アルキルベンゾエート、Ｃ１２−Ｃ１５アルキルエチルヘキサノエート、Ｃ１２−Ｃ１５アルキルラクテート、Ｃ１２−Ｃ１５アルキルサリチレート、Ｃ１３−Ｃ１４イソパラフィン、Ｃ１８−３６酸グリコールエステル、Ｃ１８−３６酸グリセリド、カプリル酸／カプリン酸グリセリド、カプリル酸／カプリン酸トリグリセリド、カプリル酸／カプリン酸／ラウリン酸トリグリセリド、カプリル酸／カプリン酸／リノール酸トリグリセリド、カプリル酸／カプリン酸／ミリスチン酸／リノール酸／ステアリン酸トリグリセリド、カプリル酸／カプリン酸／ステアリン酸トリグリセリド、キャスターオイル、キャスターオイル−シリコーンエステル、セテアリルエチルヘキサノエート、セテアリルイソノナノエート、セテアリルパルミテート、セテアリルステアレート、セチルジメチコン、セチルジメチコンコポリオール、セチルエチルヘキサノエート、セチルグリコールイソステアレート、セチルイソノナノエート、セチルラクテート、セチルミリステート、セチルオレエート、セチルパルミテート、セチルリシノレエート、セチルステアレート、ココグリセリド、ココナッツオイル、シクロメチコン、シクロペンタシロキサン、シクロテトラシロキサン、デシルイソステアレート、デシルオレエート、デシルポリグルコシド、ジブチルアジペート、ジエチルヘキシルダイマージリノレエート、ジエチルヘキシルマレート、ジイソプロピルアジペート、ジイソプロピルダイマージリノレエート、ジイソステアロイルトリメチロールプロパンシロキシシリケート、ジイソステアリルアジペート、ジイソステアリルダイマージリノレエート、ジイソステアリルマレート、ジイソステアリルトリメチロールプロパンシロキシシリケート、ジラウロイルトリメチロールプロパンシロキシシリケート、ジラウリルトリメチロールプロパンシロキシシリケート、ジメチコン、ジメチコンコポリオール、ジメチコンプロピルＰＧ−ベタイン、ジメチコノール、ジメチルイソソルビド、ジオクチルマレエート、ジオクチルドデシルダイマージリノレエート（ｄｉｏｃｔｙｌｏｄｅｄｅｃｙｌ  ｄｉｍｅｒ  ｄｉｌｏｎｏｌｅａｔｅ）、エチルヘキシルベンゾエート、エチルヘキシルココエート、エチルヘキシルジメチルＰＡＢＡ、エチルヘキシルエチルヘキサノエート、エチルヘキシルヒドロキシステアレート、エチルヘキシルヒドロキシステアレートベンゾエート、エチルヘキシルイソノナノエート、エチルヘキシルイソパルミテート、エチルヘキシルイソステアレート、エチルヘキシルラウレート、エチルヘキシルメトキシシンナメート、エチルヘキシルミリステート、エチルヘキシルネオペンタノエート、エチルヘキシルオレエート、エチルヘキシルパルミテート、エチルヘキシルサリチレート、エチルヘキシルステアレート、グリセリルカプレート、グリセリルカプリレート、グリセリルカプリレート／カプレート、グリセリルココエート、グリセリルジラウレート、グリセリルジオレエート、グリセリルヒドロキシステアレート、グリセリルイソステアレート、グリセリルラウレート、グリセリルオレエート、グリコールオレエート、グリコールリシノレエート、ヘリアンサ��アナス（ハイブリッドサンフラワー）シードオイル、ヘリアンサスアナス（サンフラワー）シードオイル、ホモサレート、イソアミルラウレート、イソアミルｐ−メトキシシンナメート、イソセチルアルコール、イソセチルベヘネート、イソセチルエチルヘキサノエート、イソセチルイソステアレート、イソセチルラウレート、イソセチルリノレオイルステアレート、イソセチルミリステート、イソセチルパルミテート、イソセチルサリチレート、イソセチルステアレート、イソセチルステアロイルステアレート、イソヘキサデカン、イソノニルイソノナノエート、イソプロピルＣ１２−１５−パレス−９カルボキシレート、イソプロピルイソステアレート、イソプロピルラノレート、イソプロピルラウレート、イソプロピルリノレエート、イソプロピルメトキシシンナメート、イソプロピルミリステート、イソプロピルオレエート，イソプロピルパルミテート、イソプロピルＰＰＧ−２−イソデセス−７−カルボキシレート、イソプロピルリシノレエート、イソプロピルステアレート、イソステアリン酸、イソステアリルアルコール、イソステアリルエチルヘキサノエート、イソステアリルイソノナノエート、イソステアリルイソステアレート、イソステアリルラクテート、イソステアリルミリステート、イソステアリルネオペンタノエート、イソステアリルパルミテート、イソステアリルステアロイルステアレート、ホホバオイル、ラノリン（ラノリンオイル）、マレイン酸（ｍａｌｅａｔｅｄ）大豆油、ミリスチルイソステアレート、ミリスチルラクテート、ミリスチルミリステート、ミリスチルネオペンタノエート、ミリスチルステアレート、オクトクリレン、オクチルデカノール、オクチルドデカノール、オエノテラビエンニス（イブニングプリムローズオイル）、流動パラフィン（ミネラルオイル）、ＰＣＡジメチコン、ペンタエリトリチルテトライソノナノエート、ペンタエリトリチルテトライソステアレート、パーフルオロポリメチルイソプロピルエーテル、パーシアグラティッシマ（アボカドオイル）、フェニルトリメチコン、ＰＰＧ−１５ステアリルエーテル、プロピレングリコールセテス−３アセテート、プロピレングリコールジカプリレート、プロピレングリコールジカプリレート／ジカプレート、プロピレングリコールジペラルゴネート、プロピレングリコールジステアレート，プロピレングリコールイソセテス−３アセテート、プロピレングリコールイソステアレート、プロピレングリコールラウレート、プロピレングリコールリシノレエート、プロピレングリコールステアレート、プルーナスダルシス（スウィートアーモンドオイル）、スクアレン、スクアレン、トリカプリリン、トリカプリリルシトレート、トリデシルエチルヘキサノエート、トリデシルネオペンタノエート、トリデシルステアロイルステアレート、トリエチルヘキサノイン、トリエチルヘキシルシトレート、トリヒドロキシステアリン、トリイソセチルシトレート、トリイソステアリン、トリイソステアリルシトレート、トリメチロールプロパントリイソステアレート、トリメチルシロキシシリケート、トリチカムブルガレ（コムギ胚芽油）、ヴィティスヴィニフェラ（ぶどう）シードオイル、及びそれらの混合物が含まれる。
【００３０】
本発明の分散体に用いる好ましい有機媒体の連続相は、主成分または基質として、グリセリドオイル、さらに好ましくはトリグリセリドオイルを含む。とりわけ、グリセリドオイルは概して中鎖脂肪酸種、特に１６個以下の炭素原子鎖長を有する脂肪酸を用いて作られるが、出発材料の最大約１０質量％は１６個より長い炭素原子鎖長を有してもよい。最も好ましくは、グリセリドオイルを作るために用いられる脂肪酸は約Ｃ5〜約Ｃ14の範囲である。酸種は飽和または不飽和、直鎖状または分枝鎖状、置換または非置換されたものであることができる。好ましい材料は中鎖（主にＣ14以下の酸を基にする）トリグリセリド、特にカプリル酸／カプリン酸トリグリセリドを含む。
【００３１】
本発明の分散体に用いる有機媒体の連続相は好ましくは少なくとも１種の極性材料を含むか、本質的に少なくとも１種の極性材料からなるか、あるいは少なくとも１種の極性材料からなり、当該極性材料は好適には５〜３０、好ましくは１２〜２５、さらに好ましくは１５〜２３、特に１８〜２２、及び特に１９〜２１ｍＮ／ｍの範囲の水に対する界面張力を有する（２５℃においてドゥノイリング法によって測定される）。極性材料の混合物が用いられる場合、界面張力の平均値は上述の好ましい範囲内に入ることが好ましい。
【００３２】
好適な極性材料は、Ｃ１２−１５アルキルベンゾエート、カプリル酸／カプリン酸トリグリセリド、セテアリルイソノナノエート、エチルヘキシルイソステアレート、エチルヘキシルパルミテート、イソノニルイソノナノエート、イソプロピルイソステアレート、イソプロピルミリステート、イソステアリルイソステアレート、イソステアリルネオペンタノエート、オクチルドデカノール、ペンタエリトリチルテトライソステアレート、ＰＰＧ−１５ステアリルエーテル、トリエチルヘキシルトリグリセリド、ジカプリリルカーボネート、エチルヘキシルステアレート、ヘリアンサスアナス（サンフラワー）シードオイル、イソプロピルパルミテート、オクチルドデシルネオペンタノエート、及びそれらの混合物を含むか、あるいは、それらからなる群から選択される。好ましい極性材料はトリエチルヘキシルトリグリセリド、Ｃ１２−１５アルキルベンゾエート、カプリル酸／カプリン酸トリグリセリド、イソノニルイソノナノエート、イソステアリルネオペンタノエート、及びオクチルドデシルネオペンタノエートであり、そして特に好ましい極性材料はカプリル酸／カプリン酸トリグリセリドであり、例えばＣＲＯＤＡＭＯＬ（商標）ＧＴＣＣ（Ｃｒｏｄａ製）である。
【００３３】
本発明の分散体に用いる他の好ましい有機媒体の連続相は、少なくとも一種のミネラルオイルであって特に軽油を含むか、本質的にそれらからなるか、あるいはそれらからなる。
【００３４】
本発明による分散体中の有機媒体または基質の濃度は、分散体の総質量に基づいて、好ましくは２０〜８０質量％、さらに好ましくは２５〜６５質量％、特に３０〜５５質量％、及び特に３５〜５０質量％の範囲である。
【００３５】
本発明に用いられる非イオン性界面活性剤は、アルコキシル化界面活性剤及び／または例えば脂肪酸エステル、エーテル、ヘミ−アセタール、若しくはポリヒドロキシル化合物のアセタール、またはポリヒドロキシル化合物の残基でＮ−置換された脂肪酸アミド、のような天然材料に由来する界面活性剤であることができる。非イオン性界面活性剤の疎水性物質、通常、ヒドロカルビル基は典型的には鎖式、一般にはアルキル鎖であり、好ましくは８〜２４、さらに好ましくは１２〜２２、及び特に１４〜２０個の炭素原子を含む。
【００３６】
アルコキシル化界面活性剤なる用語は、疎水性物質が、反応性水素原子を有する連結基の残基を通じて、アルキレンオキシド残基（親水性物質）のオリゴマー鎖またはポリマー鎖に結合している界面活性剤を示す。連結基は酸素原子（ヒドロキシル基の残基）；カルボキシル基（脂肪酸またはエステルの残基）；アミノ基（アミン基の残基）；またはカルボキシアミド（カルボン酸アミドの残基）であることができる。アルキレンオキシド残基は概してエチレンオキシド（Ｃ2Ｈ4Ｏ）若しくはプロピレンオキシド（Ｃ3Ｈ6Ｏ）の残基またはエチレン及びプロピレンオキシドの残基の組み合わせである。組み合わせた残基が用いられる場合、エチレンオキシド残基の割合は、通常、少なくとも約５０モル％、より一般的には少なくとも７５モル％であり、残りがプロピレンオキシド残基である。好ましい実施態様では、残基のほとんど全てがエチレンオキシド残基である。界面活性剤分子中のアルキレン残基の数は、好ましくは２〜約２００である。アルキルフェニルエトキシレートを用いることができるが、これらは概して、パーソナルケア用途には現在望まれない。
【００３７】
好適なアルコキシル化界面活性剤の例には、式（Ｉａ）：Ｒ1−Ｏ−（ＡＯ）n−Ｈのアルコールアルコキシレート；式（Ｉｂ）：Ｒ1−ＣＯＯ−（ＡＯ）n−Ｒ2（さらに共形成物を加えたもの）の脂肪酸アルコキシレート；式（Ｉｃ）：Ｒ1−ＮＲ3−（ＡＯ）n−Ｈの脂肪族アミンアルコキシレート；または式（Ｉｄ）：Ｒ1−ＮＲ3−（ＡＯ）n−Ｈの脂肪族アミドアルコキシレートが含まれ、
それぞれのＲ1は独立してＣ8〜Ｃ24、特にＣ12〜Ｃ22のヒドロカルビル、特にアルキル基であり；Ｒ2は水素原子またはＣ1〜Ｃ6のアルキル基であり；そしてそれぞれのＲ3は独立してＣ1〜Ｃ6のアルキル基または（ＡＯ）n−Ｈの原子団であり；
それぞれのＡＯは独立してエチレンオキシドまたはプロピレンオキシド基であり；そして分子内の指数ｎの合計は２〜２００である。
【００３８】
好ましい実施態様では、アルキレンオキシドの誘導体ではない非イオン性界面活性剤が用いられ、すなわち１種または複数種の非イオン性界面活性剤は完全に生物由来物質、特に植物由来物質を原料とする。非イオン性界面活性剤は好ましくは脂肪酸エステル、エーテル、ヘミ−アセタール若しくはポリヒドロキシル化合物のアセタール、またはポリヒドロキシル化合物の残基でＮ−置換された脂肪酸アミド、特にサッカリド脂肪酸エステルである。
【００３９】
特に有益なポリヒドロキシル化合物のエステルは、サッカライドエステル、特に脂肪酸並びに糖類、特にスクロース、フルクトース、及び／またはグルコースのモノ−エステルである。商業的に入手可能な糖エステルは一般的にモノ−エスエル、より多いエステル、及びときには遊離した出発材料（糖類）を含む混合物である。本発明では、比較的高い割合のモノ−エステルを有する糖エステルを用いることが望ましい。概して用いられる糖エステルは少なくとも５０％、より一般的には少なくとも６０％、及び望ましくは少なくとも６５％のモノエステルの含有量を有するだろう。割合は、例えば７０％、８０％、あるいはより大きくてもよいが、モノエステルを非常に高い割合で有する製剤は非常に高価となる。糖エステルは比較的親水性の界面活性剤であり、そしてより親水性が少ない変異体を用いることができ、サッカライド残基上のヒドロキシル基（通常１つのみ）が概してＣ1〜Ｃ4のアルキル基、例えばメチル基を用いてエーテル化される（アセタール化される）。望ましい糖エステルは式（IIａ）：Ｒ1−ＣＯＯ−（Ｇ）aからなることができ、Ｒ1は上に定義したようにアルコキシル化界面活性剤のものと同じであり；それぞれのＧは独立してサッカライド残基、特にグルコース、マンノース、またはフルクトースの残基であり；そしてａは１〜約５、特に約２であり、特に残基（Ｇ）aはスクロースまたはグルコースの残基である。
【００４０】
ポリヒドロキシル化合物の他のエステルには好ましくは８〜２４、さらに好ましくは１２〜２２、及び特に１６〜２０個の炭素原子を有する脂肪酸のエステル、並びにポリオール、特にグリセロール、またはポリグリセロール、または例えばソルビタンのようなアンヒドロ−サッカライドが含まれる。概してこれらの材料は望ましくはまた主にモノ−エステルとして用いられる。例として、グリセロールモノ−ラウレート、トリグリセロールモノ−ステアレート、及び比較的疎水性の界面活性剤のうちのグリセロールモノ−ステアレート、及びソルビタンモノ−オレエート、−ステアレート、イソステアレート、または−ラウレートが挙げられる。そのような好適なエステルは式（IIｂ）：Ｒ1−ＣＯＯ−Ｒ4からなることができ、Ｒ1は上に定義したようにアルコキシル化乳化剤のものと同じであり；そしてＲ4はポリヒドロキシルヒドロカルビル基、特に３〜１０個の炭素原子及び２〜６個のヒドロキシル基を含むアルキル基またはアルキルエーテル基である。
【００４１】
他のエステル界面活性剤には、ヒドロキシカルボン酸の脂肪酸エステル、特に、脂肪グリセリド、モノ−及びジ−グリセリド、並びにポリヒドロキシ−カルボン酸の間のエステル交換反応の生成物が含まれる。これらの生成物は、通常、エーテルとして記述されるが、特に脂肪酸残基がヒドロキシカルボン酸上のヒドロキシル基とエステル結合する場合、概して出発材料とエステル交換反応による生成物との混合物である。これらの生成物では、脂肪酸は好ましくは８〜２４、さらに好ましくは１２〜２２、特に１６〜２０個の炭素原子を有し、そしてヒドロキシカルボン酸は好ましくはクエン酸である。
【００４２】
糖類に由来する非イオン性界面活性剤の他の種類は、サッカライドヒドロカルビルエーテル、ヘミ−アセタールまたはアセタール、通常、ヒドロカルビルとして知られ、特にアルキル、ポリサッカライド（さらに適切にはオリゴサッカライド）、及び特に式（IIｃ）：Ｒ1−Ｏ−（Ｇ）aの材料であり、Ｒ1は上に定義したようにアルコキシル化界面活性剤のものと同じであり；Ｇは独立してサッカライド残基、特にグルコース残基であり、そしてａは１〜約５、特に約１．３〜約２．５である。
【００４３】
さらなる非イオン性界面活性剤の種類は、Ｎ−置換された脂肪酸アミドからなり、Ｎ置換基は、一般に、例えばグルコシル基のようなサッカライド残基であるポリヒドロキシル化合物の残基である。界面活性剤のこの種類には、式（IIｄ）：Ｒ1−ＣＯ−ＮＲ5Ｒ6の材料が含まれ、Ｒ1は上に定義したようにアルコキシル化界面活性剤のものと同じであり；Ｒ5は水素原子、Ｃ1〜Ｃ6のアルキル基、または式Ｒ6の原子団であり；そしてＲ6はポリヒドロキシルヒドロカルビル基であり、特に３〜１０個の炭素原子及び２〜６個のヒドロキシル基を含む基であり、並びに概してグルコシル残基である。
【００４４】
好ましい実施態様では、非イオン性界面活性剤は比較的疎水性であり、すなわち好ましくは１０以下、さらに好ましくは９以下、及び特に８以下の親水親油バランス（ＨＬＢ）を有する。そのような非イオン性界面活性剤は好ましくは、平均、２〜約１０個のアルキレンオキシド、特にエチレンオキシド残基を有するアルコキシル化界面活性剤；脂肪酸が例えばグリセロールモノ−ステアレート、−オレエート、または−ラウレートのような１４〜２４個の炭素原子を有する場合のグリセロールエステル；及び例えばソルビタン−ステアレート、−イソステアレート、−ココエート、−オレエート、または−ラウレートのようなアンヒドロサッカライド脂肪エステルからなる群から選択される。好ましい実施態様では、非イオン性界面活性剤はソルビタンオレエート、ソルビタンココエート、ソルビタンステアレート、ソルビタンイソステアレート、アルコキシル化脂肪酸、アルコキシル化脂肪族アルコール、グリセロールモノ−オレエート、グリセロールイソステアレート、ポリグリセロールオレエート、ポリグリセロールリシノレエート、及びポリグリセロールイソステアレート、並びにそれらの混合物からなる群から選択される。ポリグリセロールリシノレエートは好ましい非イオン性界面活性剤であり、例えばＣｒｅｓｔｅｒ（商標）ＰＲ（Ｃｒｏｄａ製）がある。特に好ましい実施態様では、非イオン性界面活性剤はアンヒドロ−サッカライドのエステル、さらに好ましくは例えばオレエート、−ココエート、ステアレート、イソステアレート、またはラウレートのようなソルビタンエステルを含む。ソルビタンイソステアレート、例えばＣｒｉｌｌ（商標）６（Ｃｒｏｄａ製）、及びソルビタンココエート、例えばＣｒｉｌｌ（商標）１（Ｃｒｏｄａ製）は、特に好ましい非イオン性界面活性剤である。
【００４５】
本発明の分散体を作る上で、異なる種類の界面活性剤の組み合わせを用いること、特に、大きいＨＬＢを有する、例えば好ましくは１０より大きい、さらに好ましくは１２より大きいＨＬＢを有する親水性非イオン性界面活性剤と、小さいＨＬＢを有する、例えば好ましくは１０より小さい、さらに好ましくは８より小さいＨＬＢを有する疎水性非イオン性界面活性剤とを組み合わせることが有益となり得る。比較的親水性の非イオン性界面活性剤は、平均、約１０〜約１００個のアルキレンオキシド、特にエチレンオキシドの残基を有するアルコキシル化乳化剤；並びに糖モノ−エステル及びグリセロールモノ−エステル、ヒドロカルビル、特にアルキル、ポリサッカライドを含む非アルコキシル化非イオン性界面活性剤；脂肪酸が例えばグリセロールモノ−ラウレートのような８〜１２個の炭素原子を有する場合の脂肪酸グリセロールエステル及び例えばグルカミドのような脂肪酸Ｎ−糖アミドを含む。比較的疎水性の非イオン性界面活性剤は、平均、約２〜１０個のアルキレンオキシド、特にエチレンオキシド残基を有するアルコキシル化界面活性剤；脂肪酸が例えばグリセロールモノ−ステアレート、−イソステアレート、−ココエート、または−ラウレートのような１４〜２４個の炭素原子を有する場合のグリセロールエステル；及び例えばソルビタンモノ−ステアレート、−イソステアレート、−オレエート、−ココエート、または−ラウレートのようなアンヒドロサッカライド脂肪エステルを含む。
【００４６】
上述のアルコキシレート及び非アルコキシレート種の非イオン性界面活性剤を自由に組み合わせることは概して技術的に可能である。そのような組み合わせは、分散体が例えば低ＨＬＢの非アルコキシル化界面活性剤を組み合わせて用いる親水性のアルコキシル化界面活性剤を含む場合に、魅力的となり得る。しかしながら、親水性の非アルコキシル化界面活性剤、特に糖モノ−エステル界面活性剤は、典型的なアルコキシル化界面活性剤よりも高価であり、アルキレンオキシドの誘導体を含まない界面活性剤系を有することが望ましい場合にのみ一般に用いられるだろう。
【００４７】
本発明による分散体中の非イオン性界面活性剤の濃度は、分散体の総質量に基づいて、好適には０〜４０質量％、好ましくは２〜２５質量％、さらに好ましくは５〜１５質量％、特に６〜１２質量％、及び特に７〜１１質量％の範囲内である。
【００４８】
本発明の分散体に用いられるエモリエントエステルは好ましくはアルコキシル化エステル、さらに好ましくはプロポキシル化エステルである。エモリエントエステルは好ましくはアルコキシル化アルコール及びカルボン酸に由来する。エモリエントエステルは好ましくは有機媒体の連続相に混和性を有し、そしてさらに好ましくは水と混ざらない。
【００４９】
エモリエントエステルは好ましくは、６〜２２個の炭素原子を有するアルコキシル化脂肪族アルコール及びそれらの混合物と反応した２〜１２個の炭素原子、さらに好ましくは４〜６個の炭素原子を有する一塩基酸またはモノカルボン酸、ジ−またはトリ−カルボン酸、及びそれらの混合物からなる群から選択され、アルコキシ基は包含的に平均して２〜３個の炭素原子の鎖長であり、それぞれの分子内に平均して約２〜約５０単位で存在する。
【００５０】
本発明で用いられる好ましいアルコキシル化エモリエントエステルを生成する反応に用いられるカルボン酸、脂肪族アルコール、及びアルコキシ基が、特に天然資源に由来する場合、及び特定の酸及びアルコールへの言及が、用いられる材料の第１または主な成分を言う場合に、大抵、いろいろな炭素鎖長の様々な類似の化合物を含むことは明らかである。
【００５１】
さらに好ましくは、エモリエントエステルは、１０〜１８個の炭素原子、さらに好ましくは１２〜１６個の炭素原子を有するアルコキシル化脂肪族アルコール及びそれらの混合物と反応した４〜６個の炭素原子を有するジ−またはトリ−カルボン酸の反応生成物及びそれらの混合物からなる群から選択され、アルコキシ基は包含的に平均して２〜３個の炭素原子の鎖長を有し、それぞれの分子内に平均して約２〜約１０単位、さらに好ましくはそれぞれの分子内に平均して約２〜約５単位で存在する。
【００５２】
特に好ましいカルボン酸は、ジカルボン酸であるマレイン酸、コハク酸、及びアジピン酸、並びにトリカルボン酸であるクエン酸である。
【００５３】
脂肪族アルコールは、直鎖状または分枝鎖状、置換または非置換されたもの、飽和、不飽和、またはポリ不飽和であってもよい。それらは好ましくは６〜２２個の炭素鎖長、さらに好ましくは１０〜１８個の炭素鎖長を有する。それぞれの脂肪族アルコール基が同一である必要はなく、したがってエモリエントエステルは非対称に置換されてもよい。
【００５４】
本発明に用いられる好ましいアルコキシル化エモリエントエステルに有益なアルコキシ基は概して２〜３の炭素数の短鎖のアルコキシ基、すなわちエトキシ基及びプロポキシ基である。最も好ましいプロポキシ基は分枝鎖のプロポキシであり、メチル基が鎖の第１または第２の炭素原子に結合している。プロポキシ基の混合物が存在してもよい。アルコキシ置換基は均質（例えばすべてエトキシ）であることができ、またはエトキシ及びプロポキシの混合物及び／または異なる形態のプロポキシ基の混合物であってもよい。異なる形態のプロポキシ基並びに／またはプロポキシ基及びエトキシ基が用いられる場合、順序はランダムまたはひとまとめであることができる。それぞれの基は別々の単位とみなすことができ、それぞれの分子内のアルコキシ単位の平均の数は、概して１〜５０個、好ましくは１〜３０個、さらに好ましくは２〜１５個の範囲であろう。
【００５５】
特に好ましいエモリエントエステルは、ジ−ＰＰＧ−３−ミリスチルエーテルアジペート及びトリ−ＰＰＧ−３ミリスチルエーテルシトレートであり、特にトリ−ＰＰＧ−３ミリスチルエーテルシトレートである。
【００５６】
エモリエントエステルは好ましくは、１５〜２５、さらに好ましくは１７〜２２、特に１８．５〜２１、並びに特に１９．５〜２０の範囲内のＨａｎｓｅｎ及びＢｅｅｒｂｏｗｅｒの溶解度パラメータを有する。
【００５７】
エモリエントエステルの求められるＨＬＢ値は、好ましくは３〜１０、さらに好ましくは４〜８、特に４．５〜６、及び特に５〜５．５の範囲内である。
【００５８】
本発明による分散体中のエモリエントエステルの濃度は、分散体の総質量に基づいて、好適には０〜４０質量％、好ましくは２〜３０質量％、さらに好ましくは５〜２５質量％、特に８〜１８質量％、及び特に１１〜１４質量％である。
【００５９】
本発明の特に好ましい実施態様では、分散体は、本明細書に記載されるようにエモリエントエステル及び非イオン性界面活性剤の両方を含む。
【００６０】
本発明の一実施態様では、分散体は、（ｉ）脂肪族アルコール、グリコール、グリセリドオイル、植物油、エステルオイル、脂肪族アルコールアルコキシレート、アルキルカーボネート、ミネラルオイル、及びシリコーンオイル、並びにそれらの混合物、（ii）非イオン性界面活性剤、並びに（iii）エモリエントエステル、の有機媒体液相中に分散されたカルボン酸ポリマーを含むか、本質的に当該カルボン酸ポリマーからなるか、または当該カルボン酸ポリマーからなる。成分（ｉ）は好ましくは、１２〜２５、さらに好ましくは１５〜２３ｍＮ／ｍの水に対する界面張力を有し；並びに／または成分（ii）は好ましくは１０以下、さらに好ましくは９以下のＨＬＢ値を有し；並びに／または成分（iii）は好ましくは７〜２２、さらに好ましくは１８．５〜２１のＨａｎｓｅｎ及びＢｅｅｒｂｏｗｅｒの溶解度パラメータを有する。特に好ましい成分は（ｉ）グリセリドオイル、特にカプリル酸／カプリン酸トリグリセリド、（ii）ソルビタンエステル、特にソルビタンイソステアレート及び／若しくはソルビタンココエート、並びに／または（iii）ジ−ＰＰＧ−３−ミリスチルエーテルアジペート及び／若しくはトリ−ＰＰＧ−３ミリスチルエーテルシトレートであり、特にトリ−ＰＰＧ−３ミリスチルエーテルシトレートである。
【００６１】
本発明の１つの好ましい実施態様では、分散体が、エモリエントエステル及び／または非イオン性界面活性剤を含む有機媒体を混ぜ合わせることによって液相を形成すること、次いで微粒子の形態で液相中にカルボン酸ポリマーを分散させることによって得られる。好ましくは、例えばパドルミキサ−のような低せん断混合が使用される。さらに好ましい実施態様では、混合は加熱しないで、すなわち低温または室温で行われる。
【００６２】
本発明の分散体中で、カルボン酸ポリマーの成分が安定して分散していることが分かった。結果として、分散体は、水中油型乳剤及び油中水型乳剤、特に本発明の更なる実施態様を構成する最終用途の乳剤または製剤を作るために用いられる場合に、特に効果的である。
【００６３】
最終用途の乳剤または製剤を生成するために用いられる分散体の濃度は、乳剤の質量に基づいて、好適には０．０５〜５質量％、好ましくは０．１〜２質量％、さらに好ましくは０．２〜１質量％、特に０．２５〜０．５質量％、及び特に０．３〜０．４質量％である。
【００６４】
いかなる特定の理論にも束縛されること無しに、本発明による分散体の液相は特に、カルボン酸ポリマーのポリマー鎖の凝集を低減及び／またはもつれを解くことに効果的であり、したがって、そのようなカルボン酸ポリマーを用いる場合に一般的に認められるよりも広い範囲にカルボン酸ポリマーを分散させることを可能とする。さらに効果的なポリマー鎖の分散体はまた、本発明の分散体を用いて乳剤を生成する場合に、ポリマー鎖をより効果的に機能させることを可能とする。カルボン酸ポリマーを含む典型的な公知の乳剤と比較して、本発明による分散体が、中和されて６〜７のｐＨを達成する場合（概してカルボン酸ポリマーの増粘または安定化特性を最大化するために必要とされる）に添加されるより多くの量のｐＨ調整剤、例えばトリエタノールアミンを必要とするという事実によって、ポリマー鎖のより高い利用性が推定される。より多くの量のｐＨ調整剤を使用するということは、公知の乳剤において中和を必要とするものと比べて多くの量の残留酸及びヒドロキシ基を中和する必要性を意味する。これは、本発明による分散体において、そのような残基が中和されることが大いに可能であることを示している。
【００６５】
一実施態様では、本発明による分散体が、水混和性（または溶解性）エモリエントエステルと組み合わせて用いられて最終用途の乳剤を生成する。
【００６６】
水混和性エモリエントエステルは好ましくは２０〜３０、さらに好ましくは２１〜２７、特に２２〜２５、並びに特に２３〜２４の範囲内のＨａｎｓｅｎ及びＢｅｅｒｂｏｗｅｒの溶解度パラメータを有する。
【００６７】
さらに、水混和性エモリエントエステルは好ましくは８〜１８、さらに好ましくは９〜１４、特に１０〜１２、及び特に１０．５〜１１の範囲内のＨＬＢ値を有する。
【００６８】
水混和性エモリエントエステルは好ましくはアルコキシル化エステルであり、さらに好ましくはエトキシ化エステルである。アルコキシル化グリセリドが好ましく、特にグリセリドはＣ6〜Ｃ20、好ましくはＣ6〜Ｃ18の脂肪カルボン酸に由来し、概して例えばココナッツオイル及びパームカーネルオイルのような再生可能資源に由来する。そのようなグリセリドのアルコキシ基は概して２〜３の炭素数の短鎖アルコキシ基、すなわちエトキシ基及びプロポキシ基である。プロポキシ基の混合物が存在してもよい。アルコキシ置換基は均質であることができ（例えば好ましくは全てエトキシ）、またはエトキシ及びプロポキシの混合物、及び／または異なる形態のプロポキシ基の混合物であってもよい。異なる形態のプロポキシ並びに／またはプロポキシ基及びエトキシ基が用いられる場合、順序はランダムまたはひとまとめであることができる。それぞれの基は別々の単位とみなすことができ、それぞれの分子内のアルコキシ単位の平均の数は、好ましくは１〜１００個、さらに好ましくは１〜５０個、及び特に２〜１５個の間の範囲であろう。
【００６９】
特に好ましいアルコキル化グリセリドは、エトキシココエートグリセリド、エトキシカプリル酸／カプリン酸グリセリド、及びエトキシパームカーネルグリセリドからなる群から選択され、特にエトキシココエートグリセリド、例えばＰＥＧ−７グリセリルココエート（Ｇｌｙｃｅｒｏｘ（商標）ＨＥ（Ｃｒｏｄａ製））である。
【００７０】
本明細書に記載される分散体及び水混和性エモリエントエステルは、乳剤の調合において別々の材料として添加してもよい。その場合において、（ｉ）用いられる分散体の濃度は、乳剤の質量に基づいて、好ましくは０．０５〜２質量％、さらに好ましくは０．１〜１質量％、特に０．２〜０．５質量％、及び特に０．３〜０．４質量％であり；そして（ii）用いられる水混和性エモリエントの濃度は、乳剤の質量に基づいて、好ましくは０．１〜５質量％、さらに好ましくは０．２〜３質量％、特に０．３〜２質量％、及び特に０．５〜１質量％である。
【００７１】
しかしながら他の実施例では、分散体及び水混和性エモリエントエステル及び／または８以上のＨＬＢ値を有する非イオン性界面活性剤が、好ましくは水とあらかじめ混ぜ合わされて、好ましくは透明または半透明であり、ゲルのような稠度（ゲルまたは濃度の高い液体（以下ゲルという））を有する組成物を生成する。ゲル状組成物は好ましくは透明で、室温において軟質ゲルであり、容易に水に溶解しそして良好な熱安定性を示す。ゲル状組成物は本発明のさらなる実施態様を構成する。
【００７２】
ゲルはまた、水中油型乳剤及び油中水型乳剤に用いられる場合に特に効果的である。分散剤及びゲルの両者の組み合わせもまた、最終用途の乳剤を生成するために用いられることができる。
【００７３】
ゲル状組成物は好ましくは、（ｉ）所望による水、（ii）有機媒体、（iii）水混和性エモリエントエステル及び／または８以上、好ましくは最大１８のＨＬＢ値を有する非イオン性界面活性剤、（iv）有機媒体に混和性を有するエモリエントエステル、及び／または非イオン性界面活性剤、並びに（ｖ）カルボン酸ポリマーを含むか、本質的にそれらからなるか、あるいはそれらからなる。
【００７４】
８以上のＨＬＢ値を有する非イオン性界面活性剤は、好適な本明細書に記載する界面活性剤のいずれかであってもよい。
【００７５】
ゲルを生成するために用いられる本明細書に規定される分散体の濃度は、組成物の質量に基づいて、好適には０．５〜４０質量％、好ましくは２〜３５質量％、さらに好ましくは３〜３０質量％、特に４〜２５質量％、及び特に５〜２０質量％の範囲内である。
【００７６】
ゲル中の、水混和性エモリエントエステル及び／または８以上のＨＬＢ値を有する非イオン性界面活性剤の濃度は、組成物の質量に基づいて、好適には３０〜９０質量％、好ましくは４０〜８５質量％、さらに好ましくは５０〜８０質量％、特に６０〜７２質量％、及び特に６４〜６８質量％の範囲内である。
【００７７】
ゲル中の水の濃度は、組成物の質量に基づいて、好適には０〜６０質量％、好ましくは１〜５０質量％、さらに好ましくは３〜４０質量％、特に４〜３５質量％、及び特に５〜３０質量％である。
【００７８】
ゲル中のカルボン酸ポリマーの濃度は、組成物の質量に基づいて、好適には０．３〜１５質量％、好ましくは０．６〜１０質量％、さらに好ましくは０．９〜８質量％、特に１．２〜６質量％、及び特に１．５〜５質量％である。
【００７９】
本発明のゲル状組成物は、所望に応じて他の材料、例えば前述のような追加の非イオン性界面活性剤を含んでもよい。
【００８０】
本発明による１つの好ましいゲル状組成物は、（ｉ）２０〜３５質量％、さらに好ましくは２５〜３０質量％の水、（ii）本明細書に規定されるように１〜１０質量％、さらに好ましくは３〜７質量％の分散体、並びに（iii）６０〜７５質量％、さらに好ましくは６５〜７０質量％の、２１〜２７、さらに好ましくは２２〜２５のＨａｎｓｅｎ及びＢｅｅｒｂｏｗｅｒの溶解度パラメータを有する水混和性エモリエントエステルを含むか、本質的にそれらからなるか、あるいはそれらからなる。
【００８１】
本発明による他の好ましいゲル状組成物は、（ｉ）２〜１５質量％、さらに好ましくは５〜１０質量％の水、（ii）本明細書に規定されるように１０〜２５質量％、さらに好ましくは１５〜２０質量％の分散体、（iii）６０〜７５質量％、さらに好ましくは６５〜７０質量％の、２１〜２７、さらに好ましくは２２〜２５のＨａｎｓｅｎ及びＢｅｅｒｂｏｗｅｒの溶解度パラメータを有する水混和性エモリエントエステル、並びに（iv）５〜１３質量％、さらに好ましくは８〜１０質量％の、好ましくは８未満のＨＬＢ値を有する非イオン性界面活性剤、を含むか、本質的にそれらからなるか、あるいはそれらからなる。
【００８２】
最終用途の乳剤を生成するために用いられるゲルの濃度は、乳剤の質量に基づいて、好ましくは０．５〜２０質量％、さらに好ましくは１〜１０質量％、特に２〜６質量％、及び特に３〜５質量％の範囲内である。
【００８３】
本発明のさらなる実施態様では、本明細書に規定される分散体及び／またはゲル状組成物、好ましくは分散体を、最終用途の乳剤または調合製品を作るために用いることもできる乳化系またはプレ乳剤（若しくは濃縮乳剤）を作るために用いることができる。乳化系は好ましくは水中油型乳剤の形態である。乳化系は、任意の必要な有効成分とともに水及び／またはオイルの単純な添加を行うことによって、すなわちさらに非イオン性界面活性剤または乳化剤を添加する必要がなく、安定な水中油型または油中水型の乳剤を生成することを可能とする完全に調合された系と見なされることができる。これは、最終用途の調合者に、特に低温または室温において、特に低せん断混合によって、単一の乳化系から幅広い範囲の乳剤を生成することができる優れた柔軟性を与える。
【００８４】
本発明による乳化系を生成するために用いられる本明細書に規定される分散体及び／またはゲル状組成物、好ましくは分散体の濃度は、組成物の質量に基づいて、好適には０．５〜２０質量％、好ましくは１〜１０質量％、さらに好ましくは２〜５質量％、特に２．５〜３．５質量％、及び特に２．７〜３．３質量％の範囲内である。
【００８５】
乳化系は好ましくは（ｉ）水、（ii）オイル、（iii）非イオン性界面活性剤、（iv）所望による水混和性エモリエントエステル、及び（ｖ）カルボン酸ポリマーを含むか、本質的にそれらからなるか、あるいはそれらからなる。
【００８６】
乳化系内の水の濃度は、系の質量に基づいて、好適には１０〜６０質量％、好ましくは１５〜５０質量％、さらに好ましくは２０〜４０質量％、特に２５〜３５質量％、及び特に２８〜３２質量％である。
【００８７】
乳化系のオイル成分またはオイル相は、分散体を生成するための本明細書に記載される１種以上の有機媒体を含んでもよく、好適には同じ好ましい材料、すなわち特にグリセリドオイルを含む。
【００８８】
乳化系中のオイルの濃度は、系の質量に基づいて、好適には１５〜７０質量％、好ましくは２０〜６０質量％、さらに好ましくは２５〜５０質量％、特に３０〜４５質量％、及び特に３５〜４０質量％である。
【００８９】
乳化系の非イオン性界面活性剤の成分は、分散体を生成するための本明細書に記載される１種以上の非イオン性界面活性剤を含んでもよい。非イオン性界面活性剤の成分は乳化剤として、特に水中油型乳化剤として機能する。好ましくは、本明細書に記載されるような高及び低ＨＬＢの非イオン性界面活性剤の組み合わせが用いられる。
【００９０】
乳化系中の非イオン性界面活性剤の濃度は、系の質量に基づいて、好適には３〜３０質量％、好ましくは８〜２８質量％、さらに好ましくは１２〜２６質量％、特に１６〜２４質量％、及び特に２０〜２２質量％である。
【００９１】
乳化系中の非イオン性界面活性剤の成分は好ましくは、（ｉ）系の質量に基づいて、１〜６質量％、さらに好ましくは２〜４質量％、特に２．５〜３．５質量％、及び特に２．８〜３．２質量％の範囲内の、１０より大きい、好ましくは１２より大きいＨＬＢ値を有する非イオン性界面活性剤、（ii）系の質量に基づいて、２〜１２質量％、さらに好ましくは４〜８質量％、特に５〜７質量％、及び特に５．５〜６．５質量％の範囲内の、２．５より大きく１０未満、好ましくは３より大きく８未満のＨＬＢ値を有する非イオン性界面活性剤、並びに（iii）系の質量に基づいて、２〜１８質量％、さらに好ましくは６〜１６質量％、特に１０〜１４質量％、及び特に１１〜１３質量％の範囲内の、２．５未満、好ましくは約２であるＨＬＢ値を有する非イオン性界面活性剤、を含むか、本質的にそれらからなるか、あるいはそれらからなる。
【００９２】
乳化系の水混和性エモリエントエステルの成分は、本発明による分散体と組み合わせて用いるための本明細書に記載される１以上の水混和性エモリエントエステルを含んでもよく、好適には同じ好ましい材料、すなわち特にアルコキシル化エモリエントエステルを含む。
【００９３】
乳化系中の水混和性エモリエントエステルの濃度は、系の質量に基づいて、好適には０〜２５質量％、好ましくは４〜２０質量％、さらに好ましくは７〜１５質量％、特に９〜１１質量％、及び特に９．５〜１０．５質量％である。
【００９４】
乳化系中のカルボン酸ポリマーの濃度は、組成物の質量に基づいて、好適には０．１〜５質量％、好ましくは０．４〜２質量％、さらに好ましくは０．６〜１．３質量％、特に０．７〜１．１質量％、及び特に０．８〜１．０質量％である。
【００９５】
本発明の乳化系は所望に応じて他の材料、例えば前述のような追加の非イオン性界面活性剤を含んでもよい。
【００９６】
本発明による１つの好ましい乳化系は、（ｉ）２０〜４０質量％、さらに好ましくは２５〜３５質量％の水、（ii）２５〜５０質量％、さらに好ましくは３０〜４５質量％のオイル、（iii）８〜２８質量％、さらに好ましくは１２〜２６質量％の非イオン性界面活性剤、（iv）所望による４〜２０質量％、さらに好ましくは７〜１５質量％の、２１〜２７、さらに好ましくは２２〜２５のＨａｎｓｅｎ及びＢｅｅｒｂｏｗｅｒの溶解度パラメータを有する水混和性エモリエントエステル、並びに（ｖ）本明細書に規定されるように２〜５質量％、さらに好ましくは２．５〜３．５質量％の分散体、を含むか、本質的にそれらからなるか、あるいはそれらからなる。
【００９７】
最終用途の乳剤または調合製品を生成するために用いられる乳化系の濃度は、乳剤の質量に基づいて、好ましくは５〜６０質量％、さらに好ましくは１０〜４５質量％、特に１５〜３５質量％、及び特に２０〜３０質量％である。
【００９８】
本明細書に記載されるように、本発明による分散体、ゲル状組成物、及び／または乳化系は、最終用途の乳剤または調合製品を生成するために用いられることができ、本発明のさらなる実施態様を構成する。乳化後にカルボン酸ポリマーを中和して安定化及び所望の粘度を達成するために、例えばトリエタノールアミンのような好適な塩基を添加することによってｐＨを調整することが、通常、必要である。
【００９９】
本発明による最終用途の乳剤中のオイル相の濃度は非常に幅広く異なってもよい。概してオイル層の濃度は、乳剤の質量に基づいて、少なくとも１５質量％、及びさらに一般的には少なくとも約２５質量％であるだろう。本発明の特に有利な特徴は、本明細書に記載される分散体及び／またはゲル及び／または乳化系を、乳剤の質量に基づいて、高いオイル濃度、好ましくは５０質量％より高い、さらに好ましくは６０質量％より高い、特に７０質量％より高い、及び特に８０質量％より高い、並びに最大９０質量％の濃度において、安定で好適な水中油型乳剤を作るために用いることができることである。そのような高いオイル濃度は、例えばシリコーンオイルのような乳化することが困難なものでも達成されることができる。
【０１００】
乳剤のオイル相は（分散体及び／またはゲル及び／または乳化系の添加から）分散体を生成するための上述の１種以上の有機媒体を含むだろうが、１以上のさらなる有機媒体を別の成分として添加してもよく、一般には添加するだろう。オイル相は概して主にパーソナルケアまたは化粧品に広く用いられる種類のオイルであるだろう。オイルは好ましくは室温で液体である。あるいはオイルは室温で固体であることができ、その場合においてバルクでは、オイルが組成物中に含まれることができ乳化されることができる高温において液体であるならば、オイルは通常ろう状の固体であるだろう。
【０１０１】
好適な標準の液体オイルには、
非極性オイルであって、例えばミネラルまたはパラフィンのオイル、特に例えばＡｒｌａｍｏｌ（商標）ＨＤとしてＣｒｏｄａから販売されているようなイソパラフィンのオイル；または
中極性のオイルであって、例えばホホバオイルのようなベジタブルグリセリドオイル、例えばＥｓｔｏｌ（商標）３６０９（トリエチルヘキサノイン）としてＣｒｏｄａから販売されているようなアニマルグリセリドオイル、Ｃｒｏｄａｍｏｌ（商標）ＧＴＣＣとしてＣｒｏｄａから販売されているようなカプリル酸／カプリン酸トリグリセリド、合成オイルであって例えばＰｒｉｓｏｒｉｎｅ（商標）２０２１及びＰｒｉｓｏｒｉｎｅ（商標）２０３４としてそれぞれＣｒｏｄａから販売されているイソプロピルイソステアレート及びプロピレングリコールイソステアレートのような合成エステルオイル、Ｃ１２−Ｃ１５アルキルベンソエート若しくはエーテルオイル、特に２つの脂肪族であって、例えばＥｕｔａｎｏｌ  Ｇ（オクチルドデカノール）としてＨｅｎｋｅｌから販売されているような例えばＣ８〜Ｃ１８のアルキル残基、若しくはシリコーンオイルであって例えばＤＣ２としてＤｏｗ  Ｃｏｒｎｉｎｇから販売されているようなジメチコンオイル、ＤＣ２４５としてＤｏｗ  Ｃｏｒｎｉｎｇから販売されているようなシクロメチコンオイル、若しくはシリコーンの親水性を改良するポリオキシアルキレン側鎖を有するシリコーン；または
高極性オイルであって、例えばＡｒｌａｍｏｌ（商標）Ｅ（ステアリルアルコール１５−プロポキシレート）としてＣｒｏｄａから販売されているような脂肪族アルコールプロポキシレート、若しくは例えばＣｏｇｎｉｓ製のＣｅｔｉｏｌ  ＣＣ（ＩＮＣＩ：ジカプリリルカーボネート）のようなアルキルカーボネートといった、アルコキシル化エモリエントを含むオイル、
が含まれる。
【０１０２】
乳剤はまた（分散体及び／またはゲル／及びまたは乳化系の添加から）分散体を生成するための上述の１種以上の非イオン性界面活性剤を含んでもよいが、１種以上のさらなる非イオン性界面活性剤を、分散体及び／またはゲルを用いる場合に乳剤の別の成分として添加してもよく、一般には添加するだろう。
【０１０３】
本発明による分散体、ゲル、及び乳化系の１つの利点は、それらを、低温、例えば５０℃未満、さらに好ましくは４０℃未満、特に３０℃未満、及び特に室温（２３℃）であっても、乳剤を生成するために用いることができることである。低温加工のためには、オイル相の成分が室温において液体であることが好ましく、または任意の固形またはろう状の成分が液体成分に溶解若しくは分散できることが好ましい。さらなる利点は、乳剤を、好ましくは単一容器内で、例えばパドルミキサーを用いて、低せん断において生成することができることである。
【０１０４】
乳剤を生成するための本発明による分散体、ゲル、及び乳化系を用いることの他の利点は、次の項目うち１つ以上を含むことができる；混合及び湿潤時間の減少、粒状構造の低減、粘度及び安定性の改良、よりロバストなゲル生成、低粘着性を含む皮膚感触の改善、並びに／または「魚眼」の減少。
【０１０５】
本発明による乳剤は、本明細書に記載されるように測定され、５℃、及び／または室温（２３℃）、及び／または４３℃において、好ましくは１ヶ月より長い間、さらに好ましくは２ヶ月より長い間、特に３ヶ月より長い間、及び特に４ヶ月より長い間、好適には安定である。さらに高い温度における安定性もまた重要であることがあり、それゆえに本発明による分散体は、本明細書に記載されるように測定され、５０℃において、好適には１週間より長い間、好ましくは２週間より長い間、さらに好ましくは３週間より長い間、特に１ヶ月より長い間、及び特に２ヶ月より長い間、好ましくは安定である。
【０１０６】
本発明による分散体、ゲル、及び乳化系を、例えばカルボマーまたはアクリレーツ／Ｃ１０−３０アクリルアクリレートクロスポリマーのようなポリカルボン酸ポリマーが微粒子形態で以前に使われていた任意の用途に用いることができる。分散体、ゲル、及び乳化系は、例えばパーソナルケア用途のためのローション、クリーム、及びゲルのような乳剤の生成；例えば自動車ワックス、家具用艶出し剤、及びタイヤブラックなどの家庭用及び例えば爆発物のような産業用途の、シリコーン乳剤、ミネラルオイル乳剤、ワックス乳剤の生成に特に有益である。分散体、ゲル、及び乳化系を、乳剤用の増粘剤、懸濁補助剤、安定剤、及び（第１または第２の乳化剤として用いることができる）乳剤形成剤として用いることができる。分散体及びゲルはまた、完全に水または溶媒を含まずシリコーン及びワックスを含む製剤を作るために用いられることができる。
【０１０７】
分散体、ゲル、及び乳化系は、パーソナルケアまたは化粧品製剤を作るための乳剤組成物中に含まれることが特に適している。乳剤をミルク及びクリームの両方のパーソナルケア製品中に組み込んでもよい。そのような乳剤は油溶性、水溶性、または非溶解性であることができる多くの他の成分を含んでもよい。そのような材料の例として次の材料が含まれる：
（ｉ）０．５〜２質量％の乳剤の濃度で通常用いられ、例えばＧｅｒｍａｂｅｎ  II  Ｎｉｐａｇｕａｒｄ  ＢＰＸ  及びＮｉｐａｇｕａｒｄ  ＤＭＤＭＨの商標名で市販されている、パラベン（４−ヒドロキシ安息香酸のアルキルエステル）、フェノキシエタノール、置換ウレア、及びヒダントイン誘導体系の保存料；
（ii）概して０．１〜１０質量％、さらに一般には最大約５質量％、及び特に最大約２質量％の乳剤の濃度で用いられる香料；
（iii）概して１〜１０質量％の乳剤の濃度で用いられる、例えばアルコール、例えばグリセロールのようなポリオール、及びポリエチレングリコールのような保湿剤または溶剤；
（iv）概して０．１〜５質量％の乳剤の濃度で用いられる、二酸化チタンまたは酸化亜鉛系のサンスクリーンを含む化学的サンスクリーン及び物理的サンスクリーンを含むサンフィルターまたはサンスクリーンの材料；
（ｖ）例えばグリコール酸、クエン酸、乳酸、リンゴ酸、酒石酸、及びそれらのエステルのようなアルファヒドロキシ酸；
（vi）例えばジヒドロキシアセトンのようなセルフタンニング剤；
（vii）抗菌剤、特に例えばサリチル酸のような抗にきび成分；
（viii）
ａ）例えばレチニルパルミテート及び他のトレチノイン前駆体分子のようなビタミンＡ、
ｂ）例えばパンテノール及びその誘導体のようなビタミンＢ、
ｃ）例えばアルコルビン酸及びその誘導体のようなビタミンＣ、
ｄ）例えば酢酸トコフェロールのようなビタミンＥ、
ｅ）例えばガンマリノール酸エステルといった多価不飽和脂肪酸エステルのようなビタミンＦ、
を含むビタミン及びそれらの前駆体；
（ix）例えば天然材料または天然セラミドの機能的模倣体のセラミドのようなスキンケア剤；
（ｘ）リン脂質；
（ｘｉ）ベシクル含有製剤；
（ｘii）例えばＡｌｒａｍｏｌ（商標）ＧＥＯ（Ｃｒｏｄａ製）のゲルマニウム含有化合物；有益なスキンケア特性を有する植物抽出物；
（ｘiii）例えばＡｒｌａｔｏｎｅ（商標）Ｄｉｏｃ  ＤＣＡ（Ｃｒｏｄａ製）、ヒドロキノン、コウジ酸、アルブチン、及び同種材料といった、例えば二酸のような美白剤；
（ｘiv）例えばアラトイン及び同系統の皮膚修復化合物機能剤；
（ｘｖ）カフェイン及び同種化合物；
（ｘvi）例えばメントールまたはショウノウのような冷却添加剤；
（ｘvii）例えばＮ，Ｎ−ジエチル−３−メチルベンザミド（ＤＥＥＴ）及びシトラスオイルまたはユーカリオイルのような防虫剤；
（ｘviii）エッセンシャルオイル；及び
（ｘix）好ましくは１〜５質量％、さらに好ましくは少なくとも５質量％、及び特に少なくとも１０質量％の乳剤で用いられるサスポエマルジョンを与えるための、例えばメーキャップ及び化粧品に用いられるような超微粒顔料、特に酸化物及び珪酸塩であって例えば酸化鉄、特にコーティングされた酸化鉄、及び／若しくは二酸化チタン、及び例えば窒化ホウ素のようなセラミック材料、または他の固体成分、を含む顔料。
【０１０８】
パーソナルケア乳剤は、例えば保湿剤、サンスクリーン、アフターサン製品、ボディーバター、ゲルクリーム、香料高含有製品、香料クリーム、ベビーケア製品、ヘアコンディショナー、化粧水、ホワイトニング化粧品、無水製品、腋の下のデオドラント製品、タンニング製品、クレンザー、２−イン−１ファーミング乳液、複合乳液、保存料を含まない製品、マイルド製剤、例えば固体ビーズを含有したスクラブ製剤、水中シリコーン型製剤、顔料含有製品、スプレー式乳剤、カラー化粧品、コンディショナー、シャワー製品、ファーミング乳液、メーキャップリムーバー、アイメーキャップリムーバー、及びワイプのような幅広い組成及び最終使用の用途に用いることができる。
【０１０９】
１つの好ましい実施態様は、１種以上の有機サンスクリーン及び／または例えば金属酸化物のような無機サンスクリーンを含むサンスクリーンであるが、Ｔｉｏｖｅｉｌ及びＳｏｌａｖｅｉｌ  Ｃｌａｕｓ（両方とも二酸化チタン）並びにＳｐｅｃｔｒａｖｅｉｌ（酸化亜鉛）の商標名のＣｒｏｄａから商業的に入手可能な水性及び／または有機分散体の形態の組成中に特に含まれる、好ましくは少なくとも１種の微粒二酸化チタン及び／または酸化亜鉛を含む。加えて、有機サンスクリーンは好ましい金属酸化物のサンスクリーンと共に用いてもよく、そしてｐ−メトキシ桂皮酸エステル、サリチル酸エステル、ｐ−アミノ安息香酸エステル、スルホン酸化されていないベンゾフェノン誘導体、ジベンゾイルメタンの誘導体、及び２−シアノアクリル酸のエステルを含む。有益な有機サンスクリーンの具体例には、ベンゾフェノン−１、ベンゾフェノン−２、ベンゾフェノン−３、ベンゾフェノン−６、ベンゾフェノン−８、ベンゾフェノン−１２、イソプロピルジベンゾイルメタン、ブチルメトキシジベンゾイルメタン、エチルジヒドロキシプロピルＰＡＢＡ、グリセリルＰＡＢＡ、オクチルジメチルＰＡＢＡ、オクチルメトキシシンナメート、ホモサレート、オクチルサリチレート、オクチルトリアゾン、オクトクリレン、エトクリレン、メンチルアントラニレート、４−メチルベンジリデンカンファー、ベンゾフェノン  ４、及びフェニルベンジミダゾールスルホン酸が含まれる。
【０１１０】
本発明は、次の限定するものではない例によって説明される。
【０１１１】
本明細書では、次の試験方法を用いて分散体及び乳剤の安定性を測定した。
【０１１２】
安定性は、５℃における低温保管後、−１８℃における冷凍／解凍後（３サイクル）、室温（２３℃）において、または４３℃及び５０℃の高温保管のもとで、観察することによって評価した。分散体は、ポリマーの視認できる沈降が発生しなければ安定である（またはいくらかの沈降が発生する場合は単純な攪拌によって粒子を容易に再分散できる場合は安定である）。乳剤は、相の分離またはクリーム化が起こらなければ安定である。
【実施例】
【０１１３】
例１
分散体を、室温においてプロペラ攪拌機を用いて、次の材料を混合することによって作った：
−１０．８質量％のＣｒｉｌｌ（商標）６（ソルビタンイソステアレート、Ｃｒｏｄａ製）；
−３８．４質量％のＣｒｏｄａｍｏｌ（商標）ＧＴＣＣ（カプリル酸／カプリン酸トリグリセリド、Ｃｒｏｄａ製）；
−１０．８質量％のＣｒｏｍｏｌｌｉｅｎｔ（商標）ＴＭＣ（トリ−ＰＰＧ−３ミリスチルエーテルシトレート、Ｃｒｏｄａ製）；及び
−４０質量％のＯｐｔａｓｅｎｓｅ（商標）Ｇ４０  カルボマー（ポリアクリル酸、Ｃｒｏｄａ製）。
【０１１４】
液相材料を最初に混ぜ合わせて、次いで粉末形態のカルボン酸ポリマー（Ｏｐｔａｓｅｎｓｅ（商標）Ｇ４０）を均質な分散体が得られるまで、継続攪拌しながらゆっくり加えた。
【０１１５】
例２
例１で作られた０．１質量％〜２．５質量％の分散体量を水中にかき混ぜながら入れて、次いでトリエタノールアミンを添加することで水性分散体をｐＨ６．５に中和した。得られた水性組成物は、水っぽい、ほんのわずかに増粘した組成物から、水性組成物中の分散体の量が増加するにつれて、高粘度の硬いゲルまで様々であった。
【０１１６】
例３
シリコーンの存在量が１０〜９０質量％まで様々である安定なシリコーン乳剤を作るために、例１で作られた分散体を（０．３質量％〜０．５質量％の量で）、シリコーンオイル、Ｇｌｙｃｅｒｏｘ（商標）ＨＥ（０．５〜２．５質量％の量で）（ＰＥＧ−７グリセリルココエート（Ｃｒｏｄａ製））、トリエタノールアミン、及び水と組み合わせて用いた。
【０１１７】
例４
次の材料を用いたことを除いて、例１に記載されたように分散体を作った：
−７質量％のＣｒｉｌｌ（商標）１（ソルビタンココエート、Ｃｒｏｄａ製）；
−４９質量％のＣｒｏｄａｍｏｌ（商標）ＧＴＣＣ（カプリル酸／カプリン酸トリグリセリド、Ｃｒｏｄａ製）；
−１４質量％のＣｒｏｍｏｌｌｉｅｎｔ（商標）ＴＭＣ（トリ−ＰＰＧ−３ミリスチルエーテルシトレート、Ｃｒｏｄａ製）；及び
−３０質量％のＯｐｔａｓｅｎｓｅ（商標）Ｇ４０  カルボマー（ポリアクリル酸、Ｃｒｏｄａ製）。
【０１１８】
１８．５質量％の分散体を９．３質量％のＣｒｉｌｌ（商標）４（ソルビタンオレエート、Ｃｒｏｄａ製）、６４．８質量％のＧｌｙｃｅｒｏｘ（商標）ＨＥ（ＰＥＧ−７グリセリルココエート（Ｃｒｏｄａ製））、及び７．４質量％の水と混合することによって、ゲル状組成物を作った。
【０１１９】
例５
例４で作った５質量％の分散体を６８質量％のＧｌｙｃｅｒｏｘ（商標）ＨＥ（ＰＥＧ−７グリセリルココエート（Ｃｒｏｄａ製））、及び２７質量％の水と混合することによって、ゲル状組成物を作った。
【０１２０】
例６
例４で作ったゲル状組成物、及び例１で作った分散体を用いて、最大９０質量％のシリコーンを含む最終用途配合のシリコーン乳剤を作った。乳剤を第１表に示す材料を用いて作った。
【０１２１】
【表１】
0005680856.tif 000002
【０１２２】
シリコーンをゲル状組成物及び分散体と予備混合した。次いでこの混合物を高速攪拌しながら水にゆっくり添加した。トリエタノールアミンを用いて得られた製剤のｐＨを６〜７に調整した。
【０１２３】
試料１については、用いられたゲル状組成物及び分散体の量は、低粘度から中粘度のシリコーンに適切である。シリコーンが高粘度、例えば約６０，０００ｃｓｔを有する場合、ゲルについては１．５％に、そして安定分散体については０．２２５％にそれらの成分の量を調整することができる。試料２についての調整は２．９５％のゲル、及び０．３５％の分散体である。より多くのシリコーン量を含有する製剤を、低粘度から中粘度のシリコーンのみを用いてつくることができる。
【０１２４】
生成された乳剤はそのまま用いることができ、または、自動車ワックス、タイヤ光沢剤、靴磨きクリーム、家具用艶出し剤、消泡剤、コンディショニングシャンプー、クリーム、及びローション用の基剤に室温で容易に添加及び混合することができる。
【０１２５】
例７
ワックスを含有した最終用途製剤の乳剤を、例４で作ったゲル状組成物を用いて作った。乳剤を第２表に示す材料を用いて作った。
【０１２６】
【表２】
0005680856.tif 000003
【０１２７】
ワックスは溶けており、ゲル状組成物をそのワックスの中に添加して混合した。分散体を水中に分散させて８０℃に加熱した。次いで、この混合物を、さらに混合しながらワックス／ゲルの混合物にゆっくり添加した。得られた製剤のｐＨを、トリエタノールアミンを用いて６〜７に調整し、次いで室温に冷却した。
【０１２８】
例８
高粘度クリームのダイヤドレッシングの最終用途製剤の乳剤を、例４で作ったゲル状組成物と例１で作った分散体とを用いて作った。乳剤は第３表に示す材料を用いて作った。
【０１２９】
【表３】
0005680856.tif 000004
【０１３０】
シリコーン、プロピレングリコール、ゲル状組成物、及び分散体を常温で混合した。次いで、この混合物を、さらに混合しながら水にゆっくり添加した。得られた製剤のｐＨを、トリエタノールアミンを用いて６〜７に調整し、次いで室温に冷却した。製剤は、タイヤに適用された場合に上質な光沢をもたらすだろう。
【０１３１】
例９
黒い靴墨の最終用途製剤の乳剤を、例４で作ったゲル状組成物と例１で作った分散体とを用いて作った。乳剤は第４表に示す材料を用いて作った。
【０１３２】
【表４】
0005680856.tif 000005
【０１３３】
ワックスは溶けており、ゲル状組成物をそのワックスの中に添加して混合した。分散体を水中に分散させて８０℃に加熱した。次いで、この混合物を、さらに混合しながらワックス／ゲルの混合物にゆっくり添加した。得られた製剤のｐＨを、トリエタノールアミンを用いて中性に調整し、次いで室温に冷却した。製剤は、タイヤに適用された場合に上質な光沢及び黒色をもたらすだろう。
【０１３４】
例１０
高光沢のクリーム状自動車用ワックスの最終用途製剤の乳剤を、例１で作ったゲル状組成物と例１で作った分散体とを用いて作った。乳剤を第５表に示す材料を用いて作った。
【０１３５】
【表５】
0005680856.tif 000006
【０１３６】
シリコーン、ワックス、ゲル状組成物、及び分散体を混合して、次いで９０℃に加熱した。分散体を水中に分散させて約９０℃に加熱した。次いで、この混合物を、さらに混合しながらワックス／ゲル混合物にゆっくり添加した。得られた製剤のｐＨを、トリエタノールアミンを用いて６〜７に調整して、次いで室温に冷却した。
【０１３７】
例１１
無溶媒の家具用艶出し剤の最終用途製剤の乳剤を、例４で作ったゲル状組成物と例１で作った分散体とを用いて作った。乳剤を第６表に示す材料を用いて作った。
【０１３８】
【表６】
0005680856.tif 000007
【０１３９】
シリコーン、ワックス、ゲル状組成物、及び分散体を混合して、次いで９０℃に加熱した。分散体を水中に分散させて約９０℃に加熱した。次いで、この混合物を、さらに混合しながらワックス／ゲル混合物にゆっくり添加した。得られた製剤のｐＨを、トリエタノールアミンを用いて６〜７に調整して、次いで室温に冷却した。
【０１４０】
例１２
靴磨きの最終用途の配の乳剤を、例４で作ったゲル状組成物を用いて作った。乳剤を第７表に示す材料を用いて作った。
【０１４１】
【表７】
0005680856.tif 000008
【０１４２】
シリコーン及びゲル状組成物を常温で混合した。水を、さらに混合しながらこの混合物にゆっくり添加した。得られた製剤のｐＨを、トリエタノールアミンを用いて６〜７に調整した。
【０１４３】
例１３
レザーワイプの最終用途製剤の乳剤を、例４で作ったゲル状組成物を用いて作った。乳剤を第８表に示す材料を用いて作った。
【０１４４】
【表８】
0005680856.tif 000009
【０１４５】
シリコーン及びゲル状組成物を常温で混合した。水を、さらに混合しながらこの混合物にゆっくり添加した。得られた製剤のｐＨを、トリエタノールアミンを用いて６〜７に調整した。
【０１４６】
例１４
静電気防止の家具ワイプの最終用途製剤の乳剤を、例４で作ったゲル状組成物を用いて作った。乳剤を第９表に示す材料を用いて作った。
【０１４７】
【表９】
0005680856.tif 000010
【０１４８】
シリコーン及びゲル状組成物を常温で混合した。次いで、ワックス及び静電気防止剤を、さらに混合しながら混合物に添加した。水を、さらに混合しながらこの混合物にゆっくり添加した。得られた製剤のｐＨを、トリエタノールアミンを用いて６〜７に調整した。
【０１４９】
例１５
多くのワイプの最終用途製剤の乳剤を例４で作ったゲル状組成物を用いて作った。製剤を、基板をワイプするための用途のために第１０表に示した質量％の材料を用いて作った。
【０１５０】
【表１０】
0005680856.tif 000011
【０１５１】
ワイプ製剤は次のように特定される：
Ａ＝フェイシャルモイスチャーワイプ、Ｂ＝フェイシャルしわ取りワイプ、Ｃ＝フェイシャルメーキャップリムーバーワイプ、Ｄ＝ベビーワイプ、及び防蚊剤ワイプ。
【０１５２】
例１６
本発明による乳化系を、第１１表に示す材料を表中に示す比率とともに、例４で作った分散体を用いて調製した。
【０１５３】
【表１１】
0005680856.tif 000012
【０１５４】
Ｃｒｏｄａｍｏｌ（商標）ＧＴＣＣを、パドル攪拌機を備えた好適な容器内で加熱した。乳化系の調製の間、攪拌機を動作させた。Ｃｉｔｈｒｏｌ（商標）ＥＧＭＳ３１２７、Ｃｉｔｈｒｏｌ（商標）ＧＭＳ０４００、Ｖｏｌｐｏ（商標）Ｓ２、及びＶｏｌｐｏ（商標）Ｓ２０をオイル中に添加して均質に分散させた後、オイルを加熱する温度を、固体の非イオン性界面活性剤のうち少なくとも最も高い融点の温度とした。次いで、混合物の温度を約４０〜４５℃に調整した。次いで、Ｇｌｙｃｅｒｏｘ（商標）ＨＥを混合物に添加した。次いで、例４の分散体を混合物に添加した後、混合物の温度を最高３０℃に調整した。分散体が混合物中に均質に広がって滑らかな混合物が作られることを確実にする間、混合物を混合した。次いで、水を容器に加えて、泡の形成を避ける速度で混合した。水を加えるにつれて、位相反転が起こり水中油型乳剤を生成した。乳剤は、４３℃において３ヶ月後及び３サイクルの冷凍−解凍に安定であった。乳化系は取り扱いやすい淡白色ペーストであった。
【０１５５】
例１７
水和最終用途製剤を、例１６で作った乳化系、及び第１２表に示す材料を用いて調製した。
【０１５６】
【表１２】
0005680856.tif 000013
【０１５７】
水及び保存料を、均質になるまで緩やかに混合しながら乳化系にゆっくり添加した。次いで、混合物を、高速で、しかしエアレーションを起こさずに、さらに最短でも１５分間混合した。製剤の最終的なｐＨを６〜６．５に調整した。乳剤を均質になるまで混合した。仕上がった製剤は、１５，０００ｃｐｓの粘度を有し、そして４３℃において３ヶ月後及び３サイクルの冷凍−解凍に安定であった。製剤は肌触りが軽く、軽くてねばつき感がなく肌に容易に吸収された。
【０１５８】
例１８
バリアクリームの最終用途製剤を、ラノリン及び例１６で作った乳化系、及び第１３表に示す材料を用いて調製した。
【０１５９】
【表１３】
0005680856.tif 000014
【０１６０】
エトキシ化キャスターオイル、保存料、及びラノリンを乳化系に添加して、均質化及び乳化するまで混合した。粗い油中水型乳剤を生成した。次いで、全ての水が乳化されるまで緩やかな速度から高速度で混合しながら、水をゆっくり添加した。乳剤は滑らかで光沢のある水中油型乳剤に転換された。製剤の最終的なｐＨを６〜６．５に調整した。乳剤を均質になるまで混合した。仕上がった製剤は４４，０００ｃＰｓの粘度を有し、そして４３℃において３ヶ月後及び３サイクルの冷凍−解凍に安定であった。製剤は、一般にラノリン製剤につきものである油っぽさ及び粘着性を有さなかった。
【０１６１】
例１９
クレンジングミルクのメーキャップリムーバーの最終用途製剤を、例１６で作った乳化系、及び第１４表に示す材料を用いて調製した。
【０１６２】
【表１４】
0005680856.tif 000015
【０１６３】
材料を、均質化及び乳化するまで緩やかに混合しながら乳化系にゆっくり添加した。次いで、混合物を、高速で、しかしエアレーションを起こさずに、さらに最短でも１５分間混合した。製剤の最終的なｐＨを６〜６．５に調整した。乳剤を均質になるまで混合した。仕上がった製剤は、１１，０００ｃＰｓの粘度を有し、そして４３℃において３ヶ月後及び３サイクルの冷凍−解凍に安定であった。製剤は、油っぽい使用感を残さずに容易に拭き取れる防水メーキャップであった。
【０１６４】
例２０
ヘアコンディショナーの最終用途製剤を例１６で作った乳化系、例１で作った分散体、及び第１５表に示す材料を用いて調製した。
【０１６５】
【表１５】
0005680856.tif 000016
【０１６６】
ジメチコノール、水、及び保存料を、均質化及び乳化するまで緩やかに混合しながら乳化系にゆっくり添加した。次いで、混合物のｐＨを約７．５に調整した。次いで、ポリクオタニウム及び陽イオンポリマーを混合しながら添加した。次いで、例１の分散体を均質になるまで混合しながら添加した。製剤の最終的なｐＨを５．５〜６に調整した。乳剤を均質になるまで混合した。仕上がった製剤は３２，０００ｃＰｓの粘度を有し、そして４３℃において３ヶ月後及び３サイクルの冷凍−解凍に安定であった。製剤は、髪にボリューム及びまとまりやすさを提供する、優れた光沢、親和性、及び滑らかさを有するライトウェイトヘアコンディショナーを形成した。
【０１６７】
例２１
サンスクリーンプロテクションを有するホワイトニングローションの最終用途製剤を、例１６で作った乳化系、及び第１６表に示す材料を用いて調製した。
【０１６８】
【表１６】
0005680856.tif 000017
【０１６９】
トリエタノールアミン以外の材料を、均質になるまで緩やかに混合しながら本発明による乳化系にゆっくり添加した。次いで、混合物を、高速で、しかしエアレーションを起こさずに、さらに最短でも１５分間混合した。製剤の最終的なｐＨを６〜６．５に調整した。乳剤を均質になるまで混合した。仕上がった製剤は１６，０００ｃＰｓの粘度を有し、そして４３℃において３ヶ月後及び３サイクルの冷凍−解凍に安定であった。製剤は、肌に柔らかいクッションのような感触を残しながら非常に軽くそして容易に吸収された。
【０１７０】
例２２
老化肌用の夜用肌再生保湿剤の最終用途製剤を、例１６で作った乳化系、及び第１７表に示す材料を用いて調製した。
【０１７１】
【表１７】
0005680856.tif 000018
【０１７２】
トリエタノールアミン以外の材料を、均質化及び乳化するまで緩やかに混合しながら乳化系にゆっくり添加した。次いで、混合物を、高速で、しかしエアレーションを起こさずに、さらに最短でも１５分間混合した。製剤の最終的なｐＨを６〜６．５に調整した。乳剤を均質になるまで混合した。仕上がった製剤は、２２，０００ｃＰｓの粘度を有し、そして４３℃において３ヶ月後及び３サイクルの冷凍−解凍に安定であった。
【０１７３】
例２３
高粘度クリームを主成分とする最終用途製剤を、例１６で作った乳化系、及び第１８表に示す材料を用いて調製した。
【０１７４】
【表１８】
0005680856.tif 000019
【０１７５】
トリエタノールアミン以外の材料を、均質化及び乳化するまで緩やかに混合しながら乳化系にゆっくり添加した。次いで、混合物を、高速で、しかしエアレーションを起こさずに、さらに最短でも１５分間混合した。製剤の最終的なｐＨを６〜６．５に調整した。乳剤を均質になるまで混合した。仕上がった製剤は、３５，０００ｃＰｓの粘度を有し、そして４３℃において３ヶ月後及び３サイクルの冷凍−解凍に安定であった。
【０１７６】
例２４
抗ニキビクリームの最終用途製剤を、例１６で作った乳化系、及び第１９表に示す材料を用いて調製した。
【０１７７】
【表１９】
0005680856.tif 000020
【０１７８】
水を、均質になるまで緩やかに混合しながら乳化系にゆっくり添加した。トリエタノールアミン以外の残りの材料を添加した。次いで、混合物を、高速で、しかしエアレーションを起こさずに、さらに最短でも１５分間混合した。製剤の最終的なｐＨを６〜６．５に調整した。乳剤を均質になるまで混合した。製剤は、軽く、べたつき感がなく、そして滑らかなドライダウン感（ｄｒｙ−ｄｏｗｎ  ｆｅｅｌ）を肌に与えた。抗にきび成分、ＡＣ．Ｎｅｔ（商標）は、過剰な油の生成、細胞増殖、炎症、及び細菌増殖を抑制した。
【０１７９】
例２５
強力（ｉｎｔｅｎｓｉｖｅ）保湿クリームの最終用途製剤を、例１６で作った乳化系、及び第２０表に示す材料を用いて調製した。
【０１８０】
【表２０】
0005680856.tif 000021
【０１８１】
水を、均質になるまで緩やかに混合しながら乳化系にゆっくり添加した。トリエタノールアミン以外の残りの材料を添加した。次いで、混合物を、高速で、しかしエアレーションを起こさずに、さらに最短でも１５分間混合した。製剤の最終的なｐＨを６〜６．５に調整した。乳剤を均質になるまで混合した。製剤は、優れたエステ特性及び知覚特性を有する、肌への長持ちする保湿効果を提供した。
【０１８２】
例２６
肌再構築老化抑制クリーム（ｓｋｉｎ  ｒｅｓｔｒｕｃｔｕｒｉｎｇ  ａｇｅ  ｃｏｎｔｒｏｌ  ｃｒｅａｍ）の最終用途製剤を、例１６で作った乳化系、及び第２１表に示す材料を用いて調製した。
【０１８３】
【表２１】
0005680856.tif 000022
【０１８４】
水を、均質になるまで緩やかに混合しながら本発明による乳化系にゆっくり添加した。トリエタノールアミン以外の残りの材料を添加した。次いで、混合物を、高速で、しかしエアレーションを起こさずに、さらに最短でも１５分間混合した。製剤の最終的なｐＨを６〜６．５に調整した。乳剤を均質になるまで混合した。製剤は、優れたエステ特性及び知覚特性とともに活性となる合成ペンタペプチドを運ぶためのビヒクルを提供した。
【０１８５】
例２７
分散体を、室温においてプロペラ攪拌機を用いて、次の材料を混合することによって作った：
−７質量％のＣｒｅｓｔｅｒ（商標）ＰＲ（ポリグリセリル−３ポリリシノレエート、Ｃｒｏｄａ製）；
−４９質量％のＣｒｏｄａｍｏｌ（商標）ＧＴＣＣ（カプリル酸／カプリン酸トリグリセリド、Ｃｒｏｄａ製）；
−１４質量％のＣｒｏｄａｍｏｌｌｉｅｎｔ（商標）ＴＭＣ（トリ−ＰＰＧ−３ミリスチルエーテルシトレート、Ｃｒｏｄａ製）；及び
−３０質量％のアクリレーツ／Ｃ１０−３０アルキルアクリレートクロスポリマー。
液相材料を最初に混ぜ合わせて、次いで粉末形態のカルボン酸ポリマーを、均質な分散体が得られるまで継続攪拌しながらゆっくり導入した。
【０１８６】
１６質量％の分散体を、９．３質量％のＣｒｉｌｌ（商標）４（ソルビタンオレエート、Ｃｒｏｄａ製）、６７．３質量％のＧｌｙｃｅｒｏｘ（商標）ＨＥ（ＰＥＧ−７グリセリルココエート（Ｃｒｏｄａ製））、及び７．４質量％の水と混合することによって、ゲル状組成物を作った。
【０１８７】
例２８
カプリル酸／カプリン酸トリグリセリドの代わりに軽油を用いたことを除いて、例２７に記載されたように分散体及びゲルを作った。
【０１８８】
例２９
例２７及び２８で作られた分散体及びゲルは、例えばシャンプーやボディウォッシュのような高粘度の界面活性剤系製剤用、及びファーミング乳液用に特に好適であった。１つの特定の用途は、第２２表に示すような爆発物用の乳化系の一部としてである。
【０１８９】
【表２２】
0005680856.tif 000023
【０１９０】
本明細書に記載される最終用途製剤は全て低温加工を用いて、すなわち室温（２３℃）において調製されたということも注意すべきである。
【０１９１】
上記の例は、本発明による分散体、ゲル、乳化系、及び乳剤の改良した特性を例示する。